(57)【要約】【課題】情報の入力または／および出力を行う情報処理装置において、回転ヘッド部を回転させるのに必要な回転ヘッド部モータ及び回転駆動部を収容させるための空間を省くことができず、情報処理装置の小型化には限界があった。また、回転ヘッド部の回転に伴う振動、騒音に対して、その低減が望まれている。【解決手段】ヘッド部５１１は、例えば印刷ヘッド部、取込ヘッド部、それらを併用し印刷及び取り込みが可能であるヘッド部であって、該用紙送り手段によって送り操作される用紙の湾曲部位に対応させて湾曲しており、かつ該用紙送り手段による用紙の送り方向に対して略直交する方向に延設される形状をしている。そして、情報処理手段５１２に接続され、情報の印刷または／および取り込みを行うようになっている。そして、その結果、回転駆動機構が不要となり、情報処理装置の小型化が図れるとともに、振動、騒音の低減を図ることができる【選択図】　図５
2004122571.tif 000002
【特許請求の範囲】
【請求項１】
用紙を湾曲させた状態で一定方向に送り操作する用紙送り手段と、該用紙送り手段によって送り操作される用紙を対象として情報の入力または／および出力を行うヘッド部を制御する情報処理手段と、
を備えた情報処理装置において、
該ヘッド部は、該用紙送り手段によって送り操作される用紙の湾曲部位に対応させて湾曲しており、かつ該用紙送り手段による用紙の送り方向に対して略直交する方向に延設されることを特徴とする情報処理装置。
【請求項２】
前記ヘッド部は、前記用紙に対して情報を印刷する印刷ヘッド部であることを特徴とする請求項１に記載の情報処理装置。
【請求項３】
前記ヘッド部は、前記用紙上に表記された情報を取り込む取込ヘッド部であることを特徴とする請求項１に記載の情報処理装置。
【請求項４】
前記ヘッド部は、前記用紙に対して情報を印刷する印刷ヘッド部と、該用紙上に表記された情報を取り込む取込ヘッド部を併設したことを特徴とする請求項１に記載の情報処理装置。
【請求項５】
前記ヘッド部は、他の部位から独立して着脱自在なユニット体からなることを特徴とする請求項１に記載の情報処理装置。
【請求項６】
用紙を湾曲させた状態で一定方向に送り操作する用紙送り手段と、該用紙送り手段によって送り操作される用紙を対象として情報の入力または／および出力を制御する情報処理手段と、
を備えた情報処理装置に用いるヘッド部において、
該用紙送り手段によって送り操作される用紙の湾曲部位に対応させて湾曲しており、かつ該用紙送り手段による用紙の送り方向に対して略直交する方向に延設されることを特徴とするヘッド部。
【請求項７】
前記用紙に対して情報を印刷する印刷ヘッド部であることを特徴とする請求項６に記載のヘッド部。
【請求項８】
前記用紙上に表記された情報を取り込む取込ヘッド部であることを特徴とする請求項６に記載のヘッド部。
【請求項９】
前記用紙に対して情報を印刷する印刷ヘッド部と、該用紙上に表記された情報を取り込む取込ヘッド部を併設したことを特徴とする請求項６に記載のヘッド部。
【請求項１０】
用紙を湾曲させた状態で一定方向に送り操作する用紙送り手段と、
該用紙送り手段によって送り操作される用紙を対象として情報の入力または／および出力を行うヘッド部を制御する情報処理手段と、
を備えた情報処理装置を具備した電子機器において、
該ヘッド部は、該用紙送り手段によって送り操作される用紙の湾曲部位に対応させて湾曲しており、かつ該用紙送り手段による用紙の送り方向に対して略直交する方向に延設されることを特徴とする情報処理装置を具備した電子機器。
【請求項１１】
前記ヘッド部は、前記用紙に対して情報を印刷する印刷ヘッド部であることを特徴とする請求項１０に記載の情報処理装置を具備した電子機器。
【請求項１２】
前記ヘッド部は、前記用紙上に表記された情報を取り込む取込ヘッド部であることを特徴とする請求項１０に記載の情報処理装置を具備した電子機器。
【請求項１３】
前記ヘッド部は、前記用紙に対して情報を印刷する印刷ヘッド部と、該用紙上に表記された情報を取り込む取込ヘッド部を併設したことを特徴とする請求項１０に記載の情報処理装置を具備した電子機器。
【請求項１４】
前記ヘッド部は、他の部位から独立して着脱自在なユニット体からなることを特徴とする請求項１０に記載の情報処理装置を具備した電子機器。
【発明の詳細な説明】
【０００１】
【発明の属する技術分野】
本発明は、情報処理装置、ヘッド部、並びに情報処理装置を具備した電子機器に関する。詳しくは、ヘッド部を、用紙送り手段によって送り操作される用紙の湾曲部位に対応するよう湾曲させ、かつ用紙送り手段による用紙の送り方向に対して略直交する方向に延設することによって、回転駆動機構が不要となり、その結果、情報処理装置の小型化が図れるとともに、振動、騒音の低減を図ることができるようにした情報処理装置、ヘッド部、並びに情報処理装置を具備した電子機器に係るものである。
【０００２】
【従来の技術】
従来、例えば、プリンタ装置やスキャナ装置などである情報処理装置の可搬性を高める目的で、所定の筐体に収められたものであって、用紙送り手段により、用紙を円筒状に支持しながら一定方向に送り操作し、そしてその用紙に対して、円筒の軸を回転軸とする回転ヘッド部により情報の入力または／および出力の処理を行う情報処理装置が開発されていた（例えば、特許文献１参照。）。
【０００３】
［特許文献１］
特開平８−３２４０４５号公報（第３頁段落番号［００１２］、第１図）
【０００４】
【発明が解決しようとする課題】
しかし、かかる特開平８−３２４０４５号公報に開示された従来技術によっては、回転ヘッド部を用いることを必須とするものであって、かかる回転ヘッド部を回転ヘッド部モータ及び回転駆動部を用いて回転させながら情報の入力または／および出力を行うこととなる。
【０００５】
このため、回転ヘッド部を回転させるのに必要な回転ヘッド部モータ及び回転駆動部を収容させるための空間を省くことができず、情報処理装置の小型化には限界があり、かつモータ及び駆動部の重量が嵩んでしまって、情報処理装置全体の軽量化を図ることにも限界があった。また、回転ヘッド部の回転に伴う振動、騒音に対して、その低減が望まれている。
【０００６】
というのも、特開平８−３２４０４５号公報に開示された従来技術における情報処理装置は、ノート型パーソナルコンピュータの表示部位の脇に取り付けて用いるものであったため、回転ヘッド部の回転に伴う振動によって表示部分が揺れてしまい、その間、かかる表示部位を見ながらの操作が中断せざるを得ないこととなっていたからであり、また、回転ヘッド部の回転に伴う騒音については、情報の音声出力の弊害ともなっていたからである。
【０００７】
【課題を解決するための手段】
本願発明は、上記課題に鑑みてなされたものであり、その目的とするところは、以下に記載の情報処理装置、ヘッド部、並びに情報処理装置を具備した電子機器を提供することにより、上記課題に記載の問題の低減を図ったものである。
【０００８】
すなわち、請求項１に記載の発明は、用紙を湾曲させた状態で一定方向に送り操作する用紙送り手段と、該用紙送り手段によって送り操作される用紙を対象として情報の入力または／および出力を行うヘッド部を制御する情報処理手段とを備えた情報処理装置において、該ヘッド部は、該用紙送り手段によって送り操作される用紙の湾曲部位に対応させて湾曲しており、かつ該用紙送り手段による用紙の送り方向に対して略直交する方向に延設することを特徴とする情報処理装置である。
【０００９】
ここで、湾曲させた状態とは、略円筒状のみならず、用紙の挿入方向から見て例えばＵ字型など一部でも湾曲している形状を持つ状態である。
【００１０】
また、ここで情報とは、たとえば電子機器などから伝達されてきた画像や文字などの情報や用紙上に表記された画像や文字などの情報といった外部から伝達されてきた情報のことである。
【００１１】
また、ここで延設とは、かかる情報処理装置が対応できる最大サイズを持つ用紙の幅略全長に亘り、略直線に沿って形成することである。なお、略全長であるので、用紙幅に対して余白を取れるようになっていても構わない。
【００１２】
用紙送り手段は、用紙を湾曲させた状態で支持するとともに、用紙を一定方向に送り操作するように作用する。そして、用紙送り手段は、用紙を後述するヘッド部に送り、そのヘッド部が、該用紙の適した部位を対象として情報の入力または／および出力ができるように作用する。
【００１３】
また、ヘッド部は、前記用紙送り手段によって送り操作される用紙を対象として情報の入力を行うように、または情報の出力を行うように、あるいは、情報の入力と出力を兼ね備えていてこれらのいずれか一方、もしくは双方を行うように作用する。ここで、双方としたのは、例えば、予め印刷が施されている用紙を前記用紙送り手段により送られる場合に、かかる用紙の印刷状況をスキャニングして、情報の不足部分を補充印刷したり、あるいは追加情報を重ね印刷するなどの特有の用途に対応可能であることを想定している。
【００１４】
そして、該ヘッド部は、前記用紙送り手段によって送り操作される用紙の湾曲部位に対応させて湾曲して形成したことにより、この送り操作されてくる用紙に沿って情報の処理が追随可能となるように作用する。すなわち、かかる追随可能な作用とは、前記用紙を対象として送り操作されるスピードにあわせて、該用紙送り手段による用紙の送り方向に対して略直交する方向に延設されて情報の入力または出力のいずれか一方、あるいは、情報の入力と出力の双方を略同時になしうるようにすることを意味する。
【００１５】
しかも、該ヘッド部は、用紙送り手段による用紙の送り方向に対して略直交する方向に延設されることにより、かかる情報処理装置が対応できる用紙の幅略全長に亘り、略直線に沿って略同時に情報の入力または／および出力を行うように作用する。
【００１６】
これに加えて、該ヘッド部が上述した特有の構成を採ることにより、従来のごとき回転ヘッド部モータや回転駆動部などを必要とせず、それだけ小型化や軽量化を図れるという特有の作用を奏することもできる。
【００１７】
また、情報処理手段は、少なくともヘッド部の動作を制御するように作用する。すなわち、情報処理手段は、少なくともヘッド部と電気的に接続され、かかるヘッド部が前記用紙を対象として情報の入力または／および出力を的確になしうるように作用する。
【００１８】
請求項２に記載の発明は、前記ヘッド部は、用紙に対して情報を印刷する印刷ヘッド部であることを特徴とする請求項１に記載の情報処理装置である。
【００１９】
ここで、印刷ヘッド部は、用紙に対して情報を印刷するように作用する。すなわち、印刷ヘッド部は、前記用紙送り手段によって送り操作される用紙の湾曲部位に対応させて湾曲しており、かつ該用紙送り手段による用紙の送り方向に対して略直交する方向に延設されてなることから、前記情報処理手段による制御処理を受けて、前記用紙に対する印刷が該用紙送り手段による用紙の送り方向に対して略直交する方向に略同時になされ、かつ、かかる略同時の印刷が前記用紙送り手段によって送り操作される用紙の送りスピードにあわせてなされるように作用する。
【００２０】
請求項３に係る発明は、前記ヘッド部は、用紙上に表記された情報を取り込む取込ヘッド部であることを特徴とする請求項１に記載の情報処理装置である。
【００２１】
ここで、取込ヘッド部は、用紙上に表記された情報を取り込むように作用する。すなわち、取込ヘッド部は、前記用紙送り手段によって送り操作される用紙の湾曲部位に対応させて湾曲しており、かつ該用紙送り手段による用紙の送り方向に対して略直交する方向に延設されてなることから、前記情報処理手段による制御処理を受けて、前記用紙に表された情報を対象としてその取り込みが、前記用紙送り手段による用紙の送り方向に対して略直交する方向に略同時になされ、かつ、かかる略同時の取り込みが前記用紙送り手段によって送り操作される用紙の送りスピードにあわせてなされるように作用する。
【００２２】
請求項４に係る発明は、前記ヘッド部は、用紙に対して情報を印刷する印刷ヘッド部と該用紙上に表記された情報を取り込む取込ヘッド部を併設したことを特徴とする請求項１に記載の情報処理装置である。
【００２３】
ここで、印刷ヘッド部は、用紙に対して情報を印刷するように作用する。すなわち、印刷ヘッド部は、前記用紙送り手段によって送り操作される用紙の湾曲部位に対応させて湾曲しており、かつ前記用紙送り手段による用紙の送り方向に対して略直交する方向に延設されてなることから、前記情報処理手段による制御処理を受けて、前記用紙に対する印刷が前記用紙送り手段による用紙の送り方向に対して略直交する方向に略同時になされ、かつ、かかる略同時の印刷が前記用紙送り手段によって送り操作される用紙の送りスピードにあわせてなされるように作用する。
【００２４】
また、取込ヘッド部は、用紙上に表記された情報を取り込むように作用する。すなわち、取込ヘッド部は、前記用紙送り手段によって送り操作される用紙の湾曲部位に対応させて湾曲しており、かつ前記用紙送り手段による用紙の送り方向に対して略直交する方向に延設されてなることから、前記情報処理手段による制御処理を受けて、前記用紙に表された情報を対象としてその取り込みが前記用紙送り手段による用紙の送り方向に対して略直交する方向に略同時になされ、かつ、かかる略同時の取り込みが前記用紙送り手段によって送り操作される用紙の送りスピードにあわせてなされるように作用する。
【００２５】
なお、併設とは、印刷ヘッド部と取込ヘッド部が前記用紙送り手段による用紙の送り方向に対して少なくとも２段に分かれさせるとともに、かかる用紙送り方向に略直交する方向に沿って配置されることを意味する。むろん、２段以上の配置とすることで、情報の印刷や情報の取り込みの確実性を高めることは言うまでもなく、また、その配置順序は確実性を高める観点では問わない。
【００２６】
また、併設したことにより、ヘッド部の操作内容を情報の印刷や情報の取り込みのいずれか一方、あるいはその双方に適宜選択できるようになる。
【００２７】
請求項５に係る発明は、前記ヘッド部は、他の部位から独立して着脱自在なユニット体からなることを特徴とする請求項１に記載の情報処理装置である。
【００２８】
ここで、ユニット体とは、用紙に対して情報の入力または／および出力を行うヘッド部であり、他の部位から独立して着脱が自在となるように作用する。そして、その結果、必要に応じて別のユニット体に交換することが可能となる。
【００２９】
請求項６に係る発明は、用紙を湾曲させた状態で一定方向に送り操作する用紙送り手段と、該用紙送り手段によって送り操作される用紙を対象として情報の入力または／および出力を制御する情報処理手段とを備えた情報処理装置に用いるヘッド部において、該ヘッド部は、該用紙送り手段によって送り操作される用紙の湾曲部位に対応させて湾曲して形成し、かつ該用紙送り手段による用紙の送り方向に対して略直交する方向に延設することを特徴とするヘッド部である。
【００３０】
ここで、湾曲させた状態とは、略円筒状のみならず、用紙の挿入方向から見て例えばＵ字型など一部でも湾曲している形状を持つ状態である。
【００３１】
また、ここで情報とは、たとえば電子機器などから伝達されてきた画像や文字などの情報や用紙上に表記された画像や文字などの情報といった外部から伝達されてきた情報のことである。
【００３２】
また、ここで延設とは、かかる情報処理装置が対応できる最大サイズを持つ用紙の幅略全長に亘り、略直線に沿って形成することである。なお、略全長であるので、用紙幅に対して余白を取れるようになっていても構わない。
【００３３】
用紙送り手段は、用紙を湾曲させた状態で支持するとともに、用紙を一定方向に送り操作するように作用する。そして、用紙送り手段は、用紙を後述するヘッド部に送り、そのヘッド部が、該用紙の適した部位を対象として情報の入力または／および出力ができるように作用する。
【００３４】
また、ヘッド部は、前記用紙送り手段によって送り操作される用紙を対象として情報の入力を行うように、または情報の出力を行うように、あるいは、情報の入力と出力を兼ね備えていてこれらのいずれか一方、もしくは双方を行うように作用する。ここで、双方としたのは、例えば、予め印刷が施されている用紙を前記用紙送り手段により送られる場合に、かかる用紙の印刷状況をスキャニングして、情報の不足部分を補充印刷をしたり、あるいは追加情報を重ね印刷するなどの特有の用途に対応可能であることを想定している。
【００３５】
そして、該ヘッド部は、前記用紙送り手段によって送り操作される用紙の湾曲部位に対応させて湾曲して形成したことにより、この送り操作されてくる用紙に沿って情報の処理が追随可能となるように作用する。すなわち、かかる追随可能な作用とは、前記用紙を対象として送り操作されるスピードにあわせて、かかる前記用紙送り手段による用紙の送り方向に対して略直交する方向に延設されてなされる情報の入力または出力のいずれか一方、あるいは、情報の入力と出力の双方を略同時になしうるようにすることを意味する。
【００３６】
しかも、該ヘッド部は、用紙送り手段による用紙の送り方向に対して略直交する方向に延設されることにより、かかる情報処理装置が対応できる用紙の幅略全長に亘って略同時に情報の入力または／および出力を行うように作用する。すなわち、該ヘッド部は、前記用紙送り手段によって送り操作される用紙の湾曲部位に対応させて湾曲して形成されることと、前記用紙送り手段による用紙の送り方向に対して略直交する方向に延設されることが協働することによってはじめて上述した特有の作用の実現が図れるのである。
【００３７】
これに加えて、該ヘッド部が上述した特有の構成を採ることにより、従来のごとき回転ヘッド部モータや回転駆動部などを必要とせず、それだけ小型化や軽量化を図れるという特有の作用を奏することもできる。
【００３８】
また、情報処理手段は、いずれかの部位の動作を制御するように作用する。すなわち、情報処理手段は、少なくともヘッド部と電気的に接続され、かかるヘッド部が前記用紙を対象として情報の入力または／および出力を的確になしうるように作用する。
【００３９】
請求項７に係る発明は、前記ヘッド部は、用紙に対して情報を印刷する印刷ヘッド部であることを特徴とする請求項６に記載のヘッド部である。
【００４０】
ここで、印刷ヘッド部は、用紙に対して情報を印刷するように作用する。すなわち、印刷ヘッド部は、前記用紙送り手段によって送り操作される用紙の湾曲部位に対応させて湾曲しており、かつ前記用紙送り手段による用紙の送り方向に対して略直交する方向に延設されてなることから、前記情報処理手段による制御処理を受けて、前記用紙に対する印刷が前記用紙送り手段による用紙の送り方向に対して略直交する方向に略同時になされ、かつ、かかる略同時の印刷が前記用紙送り手段によって送り操作される用紙の送りスピードにあわせてなされるように作用する。
【００４１】
請求項８に係る発明は、前記ヘッド部は、用紙上に表記された情報を取り込む取込ヘッド部であることを特徴とする請求項６に記載のヘッド部である。
【００４２】
ここで、取込ヘッド部は、用紙上に表記された情報を取り込むように作用する。すなわち、取込ヘッド部は、前記用紙送り手段によって送り操作される用紙の湾曲部位に対応させて湾曲しており、かつ前記用紙送り手段による用紙の送り方向に対して略直交する方向に延設されてなることから、前記情報処理手段による制御処理を受けて、前記用紙に表された情報を対象としてその取り込みが前記用紙送り手段による用紙の送り方向に対して略直交する方向に略同時になされ、かつ、かかる略同時の取り込みが前記用紙送り手段によって送り操作される用紙の送りスピードにあわせてなされるように作用する。
【００４３】
請求項９に係る発明は、前記ヘッド部は、用紙に対して情報を印刷する印刷ヘッド部と該用紙上に表記された情報を取り込む取込ヘッド部を併設したことを特徴とする請求項６に記載のヘッド部である。
【００４４】
ここで、印刷ヘッド部は、用紙に対して情報を印刷するように作用する。すなわち、印刷ヘッド部は、前記用紙送り手段によって送り操作される用紙の湾曲部位に対応させて湾曲しており、かつ前記用紙送り手段による用紙の送り方向に対して略直交する方向に延設されてなることから、前記情報処理手段による制御処理を受けて、前記用紙に対する印刷が前記用紙送り手段による用紙の送り方向に対して略直交する方向に略同時になされ、かつ、かかる略同時の印刷が前記用紙送り手段によって送り操作される用紙の送りスピードにあわせてなされるように作用する。
【００４５】
また、取込ヘッド部は、用紙上に表記された情報を取り込むように作用する。すなわち、取込ヘッド部は、前記用紙送り手段によって送り操作される用紙の湾曲部位に対応させて湾曲しており、かつ前記用紙送り手段による用紙の送り方向に対して略直交する方向に延設されてなることから、前記情報処理手段による制御処理を受けて、前記用紙に表された情報を対象としてその取り込みが前記用紙送り手段による用紙の送り方向に対して略直交する方向に略同時になされ、かつ、かかる略同時の取り込みが前記用紙送り手段によって送り操作される用紙の送りスピードにあわせてなされるように作用する。
【００４６】
なお、併設とは、印刷ヘッド部と取込ヘッド部が前記用紙送り手段による用紙の送り方向に対して少なくとも２段に分かれさせるとともに、かかる用紙送り方向に略直交する方向に沿って配置されることを意味する。むろん、２段以上の配置とすることで、情報の印刷や情報の取り込みの確実性を高めることは言うまでもなく、また、その配置順序は確実性を高める観点では問わない。
【００４７】
また、併設したことにより、ヘッド部の操作内容を情報の印刷や情報の取り込みのいずれか一方、あるいはその双方に適宜選択できるようになる。
【００４８】
請求項１０に係る発明は、用紙を湾曲させた状態で一定方向に送り操作する用紙送り手段と、該用紙送り手段によって送り操作される用紙を対象として情報の入力または／および出力を行うヘッド部を制御する情報処理手段とを備えた情報処理装置を具備した電子機器において、該ヘッド部は、該用紙送り手段によって送り操作される用紙の湾曲部位に対応させて湾曲しており、かつ該用紙送り手段による用紙の送り方向に対して略直交する方向に延設することを特徴とする情報処理装置を具備した電子機器である。
【００４９】
ここで、湾曲させた状態とは、略円筒状のみならず、用紙の挿入方向から見て例えばＵ字型など一部でも湾曲している形状を持つ状態である。
【００５０】
また、ここで情報とは、たとえば電子機器などから伝達されてきた画像や文字などの情報や用紙上に表記された画像や文字などの情報といった外部から伝達されてきた情報のことである。
【００５１】
また、ここで延設とは、かかる情報処理装置が対応できる最大サイズを持つ用紙の幅略全長に亘り、略直線に沿って形成することである。なお、略全長であるので、用紙幅に対して余白を取れるようになっていても構わない。
【００５２】
用紙送り手段は、用紙を湾曲させた状態で支持するとともに、用紙を一定方向に送り操作するように作用する。そして、用紙送り手段は、用紙を後述するヘッド部に送り、そのヘッド部が、該用紙の適した部位を対象として情報の入力または／および出力ができるように作用する。
【００５３】
また、ヘッド部は、前記用紙送り手段によって送り操作される用紙を対象として情報の入力を行うように、または情報の出力を行うように、あるいは、情報の入力と出力を兼ね備えていてこれらのいずれか一方、もしくは双方を行うように作用する。ここで、双方としたのは、例えば、予め印刷が施されている用紙を前記用紙送り手段により送られる場合に、かかる用紙の印刷状況をスキャニングして、情報の不足部分を補充印刷をしたり、あるいは追加情報を重ね印刷するなどの特有の用途に対応可能であることを想定している。
【００５４】
そして、該ヘッド部は、前記用紙送り手段によって送り操作される用紙の湾曲部位に対応させて湾曲して形成したことにより、この送り操作されてくる用紙に沿って情報の処理が追随可能となるように作用する。すなわち、かかる追随可能な作用とは、前記用紙を対象として送り操作されるスピードにあわせて、前記用紙送り手段による用紙の送り方向に対して略直交する方向に延設されてなされる情報の入力または出力のいずれか一方、あるいは、情報の入力と出力の双方を略同時になしうるようにすることを意味する。
【００５５】
しかも、該ヘッド部は、用紙送り手段による用紙の送り方向に対して略直交する方向に延設されることにより、かかる情報処理装置が対応できる用紙の幅略全長に亘って略同時に情報の入力または／および出力を行うように作用する。すなわち、該ヘッド部は、前記用紙送り手段によって送り操作される用紙の湾曲部位に対応させて湾曲して形成されることと、前記用紙送り手段による用紙の送り方向に対して略直交する方向に延設されることが協働することによってはじめて上述した特有の作用の実現が図れるのである。
【００５６】
これに加えて、該ヘッド部が上述した特有の構成を採ることにより、従来のごとき回転ヘッド部モータや回転駆動部などを必要とせず、それだけ小型化や軽量化を図れるという特有の作用を奏することもできる。
【００５７】
また、情報処理手段は、いずれかの部位の動作を制御するように作用する。すなわち、情報処理手段は、少なくともヘッド部と電気的に接続され、かかるヘッド部が前記用紙を対象として情報の入力または／および出力を的確になしうるように作用する。
【００５８】
請求項１１に係る発明は、前記ヘッド部は、用紙に対して情報を印刷する印刷ヘッド部であることを特徴とする請求項１０に記載の情報処理装置を具備した電子機器である。
【００５９】
ここで、印刷ヘッド部は、用紙に対して情報を印刷するように作用する。すなわち、印刷ヘッド部は、前記用紙送り手段によって送り操作される用紙の湾曲部位に対応させて湾曲しており、かつ前記用紙送り手段による用紙の送り方向に対して略直交する方向に延設されてなることから、前記情報処理手段による制御処理を受けて、前記用紙に対する印刷が前記用紙送り手段による用紙の送り方向に対して略直交する方向に略同時になされ、かつ、かかる略同時の印刷が前記用紙送り手段によって送り操作される用紙の送りスピードにあわせてなされるように作用する。
【００６０】
請求項１２に係る発明は、前記ヘッド部は、用紙上に表記された情報を取り込む取込ヘッド部であることを特徴とする請求項１０に記載の情報処理装置を具備した電子機器である。
【００６１】
ここで、取込ヘッド部は、用紙上に表記された情報を取り込むように作用する。すなわち、取込ヘッド部は、前記用紙送り手段によって送り操作される用紙の湾曲部位に対応させて湾曲しており、かつ前記用紙送り手段による用紙の送り方向に対して略直交する方向に延設されてなることから、前記情報処理手段による制御処理を受けて、前記用紙に表された情報を対象としてその取り込みが前記用紙送り手段による用紙の送り方向に対して略直交する方向に略同時になされ、かつ、かかる略同時の取り込みが前記用紙送り手段によって送り操作される用紙の送りスピードにあわせてなされるように作用する。
【００６２】
請求項１３に係る発明は、前記ヘッド部は、用紙に対して情報を印刷する印刷ヘッド部と該用紙上に表記された情報を取り込む取込ヘッド部を併設したことを特徴とする請求項１０に記載の情報処理装置を具備した電子機器である。
【００６３】
ここで、印刷ヘッド部は、用紙に対して情報を印刷するように作用する。すなわち、印刷ヘッド部は、前記用紙送り手段によって送り操作される用紙の湾曲部位に対応させて湾曲しており、かつ前記用紙送り手段による用紙の送り方向に対して略直交する方向に延設されてなることから、前記情報処理手段による制御処理を受けて、前記用紙に対する印刷が前記用紙送り手段による用紙の送り方向に対して略直交する方向に略同時になされ、かつ、かかる略同時の印刷が前記用紙送り手段によって送り操作される用紙の送りスピードにあわせてなされるように作用する。
【００６４】
また、取込ヘッド部は、用紙上に表記された情報を取り込むように作用する。すなわち、取込ヘッド部は、前記用紙送り手段によって送り操作される用紙の湾曲部位に対応させて湾曲しており、かつ前記用紙送り手段による用紙の送り方向に対して略直交する方向に延設されてなることから、前記情報処理手段による制御処理を受けて、前記用紙に表された情報を対象としてその取り込みが前記用紙送り手段による用紙の送り方向に対して略直交する方向に略同時になされ、かつ、かかる略同時の取り込みが前記用紙送り手段によって送り操作される用紙の送りスピードにあわせてなされるように作用する。
【００６５】
なお、併設とは、印刷ヘッド部と取込ヘッド部が前記用紙送り手段による用紙の送り方向に対して少なくとも２段に分かれさせるとともに、かかる用紙送り方向に略直交する方向に沿って配置されることを意味する。むろん、２段以上の配置とすることで、情報の印刷や情報の取り込みの確実性を高めることは言うまでもなく、また、その配置順序は確実性を高める観点では問わない。
【００６６】
また、併設したことにより、ヘッド部の操作内容を情報の印刷や情報の取り込みのいずれか一方、あるいはその双方に適宜選択できるようになる。
【００６７】
請求項１４に係る発明は、前記ヘッド部は、他の部位から独立して着脱自在なユニット体からなることを特徴とする請求項１０に記載の情報処理装置を具備した電子機器である。
【００６８】
ここで、ユニット体とは、用紙に対して情報の入力または／および出力を行うヘッド部であり、他の部位から独立して着脱が自在となるように作用する。そして、その結果、必要に応じて別のユニット体に交換することが可能となる。
【００６９】
【発明の実施の形態】
本発明の実施の形態について、以下の順に説明する。
１．第１の発明の実施の形態
第１の発明の実施の形態の概要および動作原理
１．１．１．第１の発明の実施の形態の要部
１．２．第１の発明の実施の形態の構成
１．３．第１の発明の実施の形態の動作
１．４．第１の発明の実施の形態の第１の具体例
１．４．１．第１の発明の実施の形態の第１の具体例の概要
１．４．２．第１の発明の実施の形態の第１の具体例の構成
１．４．３．第１の発明の実施の形態の第１の具体例の動作
１．５．第１の発明の実施の形態の第２の具体例
１．５．１．第１の発明の実施の形態の第２の具体例の概要
１．５．２．第１の発明の実施の形態の第２の具体例の構成
１．５．３．第１の発明の実施の形態の第２の具体例の動作
１．６．第１の発明の実施の形態の第３の具体例
１．６．１．第１の発明の実施の形態の第３の具体例の概要
１．６．２．第１の発明の実施の形態の第３の具体例の構成
１．６．３．第１の発明の実施の形態の第３の具体例の動作
１．７．その他
２．第２の実施の形態
第２の発明の実施の形態の概要
２．２．第２の発明の実施の形態の構成
２．３．第２の発明の実施の形態の動作
２．４．第２の発明の実施の形態を構成するヘッド部の第１の具体例
２．４．１．第２の発明の実施の形態を構成するヘッド部の第１の具体例の概要
２．４．２．第２の発明の実施の形態を構成するヘッド部の第１の具体例の構成
２．４．３．第２の発明の実施の形態を構成するヘッド部の第１の具体例の動作
２．５．第２の発明の実施の形態を構成するヘッド部の第２の具体例
２．５．１．第２の発明の実施の形態を構成するヘッド部の第２の具体例の概要
２．５．２．第２の発明の実施の形態を構成するヘッド部の第２の具体例の構成
２．４．３．第２の発明の実施の形態を構成するヘッド部の第２の具体例の動作
２．６．第２の発明の実施の形態を構成するヘッド部の第３の具体例
２．６．１．第２の発明の実施の形態を構成するヘッド部の第３の具体例の概要
２．６．２．第２の発明の実施の形態を構成するヘッド部の第３の具体例の構成
２．６．３．第２の発明の実施の形態を構成するヘッド部の第３の具体例の動作
２．７．第２の発明の実施の形態を構成するヘッド部の第４の具体例
２．７．１．第２の発明の実施の形態を構成するヘッド部の第４の具体例の概要
２．７．２．第２の発明の実施の形態を構成するヘッド部の第４の具体例の構成
２．７．３．第２の発明の実施の形態を構成するヘッド部の第４の具体例の動作
３．第３の実施の形態
３．１．第３の発明の実施の形態の概要および動作原理
３．２．第３の発明の実施の形態の構成
３．３．第３の発明の実施の形態の動作
３．４．第３の発明の実施の形態の変形例
３．４．１．第３の発明の実施の形態の変形例の概要
３．４．２．第３の発明の実施の形態の変形例の構成
３．４．３．第３の発明の実施の形態の変形例の動作
なお、以下に述べる実施の形態は、本発明の好適な具体例であるから、技術的に好ましい種々の限定が付されているものの、本発明の認識範囲は、以下の説明において、とくに本発明を限定する旨の記載がない限り、これらの形態に限られるものではない。
（１．第１の発明の実施の形態）
まず、第１の発明の実施の形態について、図１乃至図５を用いて説明する。
【００７０】
図１及び図２は、本発明の第１の発明の実施の形態に係る情報処理装置を示す斜視図であり、図３及び図４は、本発明の第１の実施の形態に係る情報処理装置の使用状態を示す斜視図であり、図５は、本発明の第１の実施の形態に係る情報処理装置の内部構造を模式的に示す縦断正面図である。
（１．１．第１の発明の実施の形態の概要および動作原理）
本実施の形態はすなわち、情報処理装置であって、かかる情報処理装置は、用紙に対して情報の出力をなす情報出力装置と、用紙に表された情報の取り込みをなす情報入力装置のいずれか一方の概念で捉えることができ、さらに、両者を兼ね備えた情報入出力装置という概念で捉えることもできる。なお、以下において「情報の入力または／および出力」なる表現を用いた場合には、用紙に対して情報の出力をなす情報出力の概念と、用紙に表された情報の取り込みをなす情報入力の概念のいずれか一方の概念で捉えること、さらに、両者を兼ね備えた情報入出力という概念で捉えられる各概念の機能を説明の便宜上簡略させたものとする。
【００７１】
前記情報出力装置の具体的な代表例は、情報の出力という機能を発揮する装置として、画像や文字などの情報を、対象となる用紙に対して印刷するプリンター装置が挙げられる。
【００７２】
前記情報入力装置の具体的な代表例は、情報の入力という機能を発揮する装置として、対象となる用紙に表された画像や文字などの情報を取り込む専用装置としてのスキャナ装置が挙げられる。
【００７３】
前記情報入出力装置とは、情報の入力と出力を選択的に切り替えていずれか一方の機能を発揮させる概念と、情報の入力と出力を略同時に機能させる概念で捉えることができる。具体的には、例えば、プリンターとスキャナを一体に併設させてなる一体型装置であって、用紙に表された情報を操作して取り込み、該情報を他の用紙に印刷を行う複写装置や電話などの通信回線と接続されて機能するファクシミリ装置の概念で捉えることもできる。
【００７４】
かかる情報処理装置は、コンパクトな小型構造からなり、情報の入力または／および出力の対象となる用紙につき、扁平に展開した状態で取り込むのではなく、用紙全体を筒状に湾曲させるか、または、扁平な状態の用紙の中央付近を境に湾曲させるなどして一部のみを湾曲させることで、対象となる用紙が矩形のものである場合に、その対向する二つの辺を扁平に展開した状態に比べて相互に近づけさせた状態で、用紙の湾曲させた方向と略直交する一定方向にかかる用紙を送り操作するものとする。
【００７５】
しかも、小型構造のものとして、内部に予め用紙を取り込むといった構造を採用しないことから、対象となる用紙を送る側と、情報の入力または／および出力による情報処理を終えて用紙が送り出された側には、それぞれ用紙の大きさに見合う空間を確保して用いられることが必要となる。
【００７６】
そして、該情報処理装置は、例えば、上述のプリンター装置やスキャナ装置の概念で捉えた場合にはコンピュータに接続される周辺機器としての用途を果たすものであり、かかる場合、小型構造からなるので、例えば、ノート型パーソナルコンピュータの表示部分の脇に着脱自在に装着されて用いられるものとする。ただし、周辺機器としての用途に限定されるものではなく、例えば、上述の複写装置やファックス装置のように専用装置としての用途も想定している。
（１．１．１．第１の発明の実施の形態の要部）
本実施の形態に係る情報処理装置は、装置としてより一層の小型化及び軽量化を実現するとともに、印刷時における振動や騒音を極力抑えることを目的としている。
【００７７】
本実施の形態は、このような使い勝手の向上に着目し、小型化や軽量化に資するとともに、情報処理時における振動や騒音の低減を図れるような特殊構造のヘッド部を採用するものである。
【００７８】
すなわち、情報処理装置の内部構成として、用紙を一定方向に送り操作する用紙送り手段を備えていることを前提に、前記ヘッド部は、該用紙送り手段によって送り操作される用紙を対象として情報の入力または／および出力を行うようになっている。
【００７９】
かかるヘッド部は、該用紙送り手段によって送り操作される用紙の湾曲部位に対応して湾曲してなる湾曲部位と、該用紙送り手段による用紙の送り方向に対して略直交する方向に延設する情報処理部位とを有する。
【００８０】
ここで、ヘッド部の湾曲部位は、送り操作される用紙を摺動させてガイドのごとき役割を果たせばよく、少なくとも送り操作が見込まれている用紙の送り方向に対して略直交する方向の用紙幅全長に見合う横幅からなり、かつ用紙との接触部分が湾曲であることを意味する。
【００８１】
他方、ヘッド部の情報処理部位は、一又は複数の情報処理部からなっており、かかる湾曲部位の外面に露見するように設けられる。ただし、厳密には、ヘッド部の情報処理部位がその処理機能を発揮するには用紙に対して若干の距離をあける必要があることから、かかる情報処理部位のみを歪ませるなどしてヘッド部の湾曲部位はそのような条件を満足する形態からなるものとする。
【００８２】
しかも、該情報処理部位は、かかる湾曲部位のうち、用紙の送り方向に沿った方向にある程度の幅をもたせ、かつ該用紙の送り方向に対して略直行する方向に延設されている。ここで、延設とは、かかる情報処理装置が対応できる最大サイズを持つ用紙の幅略全長に亘り、略直線に沿って形成することである。なお、略全長であるので、用紙幅に対して余白を取れるようになっていても構わない。
【００８３】
該情報処理部位の情報処理部は、用紙の表面に対向し、かつ、ライン状もしくは千鳥状に配設されている。ここで、ライン状とは、ラインに沿って点在して配設させることであり、千鳥状とは、端部に重複を持ちながらずれて配設することである。
【００８４】
ゆえに、該ヘッド部は、基本動作として、対象となる用紙に対して、前記用紙送り手段による用紙の送り方向に対して略直交する方向に該情報処理部位が略ライン状もしくは千鳥状に沿って略同時に情報処理をなすことができるようになっている。しかも、かかる略同時の情報処理は、送り操作される用紙の送りスピードにあわせてなされるように制御されるものとする。
【００８５】
しかして、かかるヘッド部を採用することにより、従来技術のごとき、回転ヘッド部を採用することに起因する回転ヘッド部モータ及び回転駆動部が不要となることから、それだけ情報処理装置全体としての小型化と軽量化に資するとともに、情報処理時における回転駆動がないことにより、振動や騒音の低減を図れるという顕著な作用効果を奏することができる。
（１．２．第１の発明の実施の形態の構成）
先に、本実施の形態に係る情報処理装置の外観構成を図１を用いて説明する。
【００８６】
情報処理装置は、短尺な略円柱体の筐体１０１からなり、図１で示すように、該筐体１０１の用紙を挿入する側から見て略円弧状に切り欠いてなる貫通孔１０２を、該筐体１０１の用紙を挿入する側から送り出す側にかけて貫通させて形成してなる。そして、前記筐体１０１の用紙を挿入する側であって、前記貫通孔１０２を外周側から囲むようにしてガイド部材１０３を、また貫通孔１０２の内周側にガイド内筒部材１０４を設けてなる。なお、筐体１０１の側部には、情報信号用ジャック１０５と電源供給用ジャック１０６を設けるものとする。
【００８７】
前記筐体１０１は、例えば短尺な略円柱状の形状をしており、合成樹脂などによりできており、用紙の挿入側から送り出し側に亘って貫通して形成された貫通孔１０２を有し、ガイド部材１０３と接続し、内部に後述する用紙送り手段とヘッド部を収容できるようになっている。
【００８８】
また、筐体１０１は、ガイド部材１０３と接続し、内部に後述する用紙送り手段とヘッド部を収容できるようになっていればよく、筐体１０１の形状は、用紙の挿入方向からみて、図１及び図２に示すような略円柱状の形状だけでなく、例えば四角柱などであってもかまわない。
【００８９】
また、筐体１０１の材質についても合成樹脂に限らず、例えばアルミニウムといった軽い金属など他の軽い材料でできていても構わない。ここで、軽い材料とすれば、本実施の形態に係る情報処理装置全体の軽量化につながるなどの利点がある。
【００９０】
前記貫通孔１０２は、用紙送り手段によって送り操作される用紙の湾曲部位に対応した形状をなしている。一例として、図１のように、図示の上方から平面的に見て、円の一部を欠損させ、かかる円の外周を溝状に切り欠いた形状とする。また、筐体１０１の用紙の挿入側から送り出し側に亘って貫通して形成され、用紙を筐体１０１内を通して送り出せるようになっている。
【００９１】
また、貫通孔１０２の形状は、用紙送り手段によって送り操作される用紙の湾曲部位に対応していればよく、図２における貫通孔２０２のように、Ｕ字型など一部分が湾曲している形状であっても構わない。
【００９２】
前記ガイド部材１０３は、筐体１０１の用紙の挿入方向側に配設され、複数の略同径の円弧状線材１０７が略等間隔に線状部材１０８で連結されてなるものである。そして、貫通孔１０２に用紙を外側からガイドするようになっている。
【００９３】
なお、このガイド部材１０３は、径の大きさを統一させた線材を螺旋状に形成したものにしても構わない。そうすることで、情報処理装置の非使用時においては、用紙の挿入方向に伸縮させて収納できるなどの利点がある。
【００９４】
また、ガイド部材１０３は、直径の異なる複数の円筒状の部材が順次嵌装されることにより伸縮可能な一又は複数の伸縮ロッドと、この伸縮ロッドが伸縮する方向と略垂直な方向に支持された、例えば円弧状をした一又は複数の線材とにより構成しても構わない。そうすることで、これもまた、情報処理装置の非使用時においては、用紙の挿入方向に伸縮させて収納できるなどの利点がある。
【００９５】
また、ガイド部材１０３は、上記いずれの形状においても筐体と着脱自在とし、例えば操作者が手で支える場合など必要ない場合には取り外して情報の入力／出力を行っても構わない。
【００９６】
また、ガイド部材１０３は、図２におけるガイド部材２０３のようにＵ字型など一部分が湾曲している形状であっても構わない。
【００９７】
前記ガイド内筒部材１０４は、例えば図１のように全体的に平面状であるが、その外周端部分のみを用紙の挿入方向に向けて湾曲させた形状をしている。その湾曲した外周端部分は、用紙送り手段によって送り操作される用紙の湾曲部位に対応した形状をして筐体１０１と接続しており、用紙を内側からガイドし、また、該外周端部分の傾斜にともない内筒の外側へと送り出し貫通孔１０２に導くようになっている。
【００９８】
また、ガイド内筒部材１０４は、湾曲皿ではなく、半球状の形状をしていても構わない。
【００９９】
また、ガイド内筒部材１０４の形状は、用紙送り手段によって送り操作される用紙の湾曲部位に対応していればよく、図２のガイド内筒部材２０４のようにＵ字型など一部分が湾曲している形状であっても構わない。
【０１００】
前記情報信号用ジャック１０５は、例えばＵＳＢ（Ｕｎｉｖｅｒｓａｌ　Ｓｅｒｉａｌ　Ｂｕｓ）端子であって、情報を伝達するケーブルと接続可能な形状をなし、パーソナルコンピュータ等の電子機器と接続され、該電子機器との間で情報の入力、出力ができるようになっている。
【０１０１】
また、ファクシミリ等に組み込まれ、情報の送受信を電話回線を用いて行うときには、電話回線と接続するための端子となる。
【０１０２】
なお、本実施の形態に係る情報処理装置には、たとえばパーソナルコンピュータなどの電子機器に取り付けるために、図示は省略するが、たとえばクリップなどの取付部があっても構わない。そうすることにより、電子機器に取り付けながら、情報の入力または／および出力を行える利点がある。
【０１０３】
また、本実施の形態に係る情報処理装置を、たとえば机等に据え置いて用いる場合には、図示は省略するが、例えば台の形状をした専用の据え置き具を用いることもできる。
【０１０４】
次に、本実施の形態に係る情報処理装置の内部構成を図５を用いて説明する。
【０１０５】
すなわち、本実施の形態に係る情報処理装置の内部構成は、筐体５０１の貫通孔５０２から挿入される用紙５１３を湾曲させた状態で一定方向に送り操作する用紙送り手段５０７と、該用紙送り手段５０７によって送り操作される用紙５１３を対象として情報の入力または／および出力を行うヘッド部５１１と、これら用紙送り手段５０７とヘッド部５１１に接続して、これらを制御する情報処理手段５１２とを備えてなる。
【０１０６】
筐体５０１は、内部に少なくとも用紙送りローラ５０８、用紙送りガイドローラ５０９、モータ５１０およびヘッド部５１１を収容できるようになっている。
【０１０７】
ここで、用紙送り手段５０７は、ガイド部材５０３と、用紙送りローラ５０８と、用紙送りガイドローラ５０９と、モータ５１０とからなり、ガイド部材５０３により湾曲して支持されている用紙５１３を貫通孔５０２を介して、筐体５０１内を通し、送り出せるようになっている。
【０１０８】
前記用紙送りローラ５０８は、たとえば円柱状をなし、その材質は、少なくとも外周部がたとえばゴムなどの弾性体でできており、これに接続されているモータ５１０により回転駆動される。この用紙送りローラ５０８は、用紙送りガイドローラ５０９と対向するように設置され、用紙５１３の湾曲内側すなわち筐体５０１の内側からの回転動作により用紙５１３を送り操作するようになっている。
【０１０９】
前記用紙送りガイドローラ５０９は、少なくとも外周部がたとえば円柱状の形状をなし、その材質は、たとえばゴムなどの弾性体でできている。用紙送りローラ５０８と対面するように設置され、この用紙送りガイドローラ５０９は、用紙送りローラ５０８の回転動作に伴って回転する。そして、用紙５１３の湾曲外側すなわち筐体５０１の外周側から前記回転動作により用紙５１３を送り操作するようになっている。
【０１１０】
なお、用紙送りローラ５０８と用紙送りガイドローラ５０９の組合せは、１対だけでなく複数備えていても構わない。この場合には、複数の用紙送りローラ５０８を回転駆動させるモータ５１０の同期をとって同一回転速度となるように制御することを要する。そうすることで、用紙５１３をさらに円滑に送り操作することが可能となる。また、用紙送りローラ５０８と用紙送りガイドローラ５０９の組合せを１対だけ配設する際には、いかなる用紙サイズにおいても、用紙５１３を送り操作できる位置に配設するようにすることとなる。
【０１１１】
また、用紙送りローラ５０８と用紙送りガイドローラ５０９の組合せは、ヘッド部５１１に対して用紙５１３が挿入されてくる側だけではなく、排出される側に設置されていても構わない。そうすることにより、用紙５１３が排出される直前まで該組合せにより挟持することができるため、用紙５１３の挿入方向後方における用紙５１３の余白部分を小さくできるという利点がある。
【０１１２】
前記ヘッド部５１１は、例えば印刷ヘッド部、取込ヘッド部、それらを併設し印刷及び取り込みが可能であるヘッド部であって、該用紙送り手段５０７によって送り操作される用紙５１３の湾曲部位に対応させて湾曲しており、かつ該用紙送り手段による用紙５１３の送り方向に対して略直交する方向に延設した形状をしている。そして、例えば図５のように、筐体５０１内の中心部近傍に配設されており、用紙送り手段５０７によって送り操作された用紙５１３に対して外部からの画像や文字などの情報の印刷または／および取り込みを行うようになっている。
【０１１３】
前記情報処理手段５１２は、具体的にはＣＰＵ（Ｃｅｎｔｒａｌ　Ｐｒｏｃｅｓｓｉｎｇ　Ｕｎｉｔ）を搭載した基板であって、たとえばＲＯＭやＲＡＭなどの記憶部に記憶されているプログラムに従って、各種の処理、計算、条件判断、各種のデバイスの制御などを行う。かかるＣＰＵがＩＣ（ＩｎｔｅｇｒａｔｅｄＣｉｒｃｕｉｔ）チップとして、基板に搭載されてなるものとする。そうして、用紙送り手段５０７及びヘッド部５１１に接続し、電源供給用ジャック５０６を介して外部より電源供給されることにより、例えば用紙送り手段５０７及びヘッド部５１１の制御を行うようになっている。
【０１１４】
用紙５１３は、例えば、コピー用紙や葉書、ＯＨＰ（Ｏｖｅｒｈｅａｄ　Ｐｒｏｊｅｃｔｏｒ）用紙などであって、平面的な広がりを持つ紙状のものであればよく、その材料は問わない。また、該用紙５１３は本実施の形態に係る情報処理装置を構成する部材ではなく、該情報処理装置を使用する際に用いる部材である。
【０１１５】
また、該用紙５１３の大きさは、例えば、日本工業規格（ＪＩＳ）におけるＡ４サイズから葉書サイズのものであり、いわゆるコピー用紙や葉書として使用されている用紙程度の厚さを有するものである。なお、用紙５１３の大きさをＡ４サイズに限定せず、様々な用紙の大きさに対応させて、入力または出力を可能とさせる場合には、該用紙５１３を入力または出力が行われる位置に配設できるように位置決めガイドを設けることとなる。
【０１１６】
前記電源供給用ジャック５０６は、筐体５０１の外側部に設けられ、ヘッド部５１１と用紙送り手段５０７の間に配設された情報処理手段５１２に接続され、外部より情報処理手段への電源の供給ができるようになっている。
【０１１７】
なお、上記筐体５０１内には、上記情報処理手段５１２に接続される電池を収納することとして電源の供給を行ってもよい。この場合には、上記情報処理手段５１２は上記電池より電源が供給されることにより、情報処理装置の駆動電源を供給する。
【０１１８】
また、前記情報信号用ジャック５０５を例えばＵＳＢ（Ｕｎｉｖｅｒｓａｌ　Ｓｅｒｉａｌ　Ｂｕｓ）端子とした場合には、該情報信号用ジャック５０５を介して外部からの画像や文字などの情報を伝達するだけでなく、電源の供給を行っても構わない。また、その場合には、図面上では、情報信号用ジャック５０５と電力供給用ジャック５０６とを分けて描写してあるが、両方の機能を有するジャックを一つ設けるものであっても構わない。
（１．３．第１の発明の実施の形態の動作）
次に本実施の形態に係る情報処理装置の動作について図３乃至図５を用いて説明する。
【０１１９】
この情報処理装置においては、図３に示すように、ガイド部材３０３とガイド内筒部材３０４によって支持された用紙３１３が、湾曲した状態で貫通孔３０２に挿入操作される。
【０１２０】
続いて図５を用いて説明する。筐体５０１に形成されている貫通孔５０２内に挿入された用紙５１３は、図５に示すように、用紙送りローラ５０８と用紙送りガイドローラ５０９とにより狭持される。そして、上記用紙送りローラ５０８が、情報処理手段５１２によって制御されたモータ５１０の駆動により回転操作されると、これら用紙送りローラ５０８および用紙送りガイドローラ５０９とにより狭持されていた用紙５１３は、ガイド部材５０３側からヘッド部５１１側に向けて、送り操作される。
【０１２１】
該貫通孔５０２内の用紙は送り操作されながら、ヘッド部５１１の情報処理部位と対面すると、用紙５１３の移動方向と略直交する幅全長に亘って略同時に該用紙５１３との間で情報の入力または出力が行われ、その後、筐体５０１の外へと送り出される。
（１．４．第１の発明の実施の形態の第１の具体例）
まず、第１の発明の実施の形態の第１の具体例について、図６、図９及び図１０を用いて説明する。
【０１２２】
図６は、本発明の第１の発明の実施の形態の第１の具体例に係るプリンター装置を模式的に示す縦断正面図であり、図９及び図１０は、本発明の第１の発明の実施の形態の第１の具体例に係るプリンター装置の内部構造を示す断面図である。
（１．４．１．第１の発明の実施の形態の第１の具体例の概要）
本具体例はすなわち、前記第１の実施の形態に係る情報処理装置の一態様であって、用紙に対して印刷を行うプリンター装置に関するものである。
【０１２３】
本具体例は、第１の実施の形態に係る情報処理装置が複数の具体的な装置のバリエーションを包含する概念的な内容であることに起因して、ヘッド部の内容も抽象的要素を含む説明となっていたのに対して、プリンター装置という具体的な態様であることから、ヘッド部も印刷ヘッド部という具体物となっている点で異なる。他方、その他の部位については前記情報処理装置と共通することが多いので、重複する説明については、以下の説明からは除くこととする。
【０１２４】
かかるプリンター装置は、熱を加えると発色する感熱紙にヘッド部を接触させて印刷をする感熱方式のものや、熱に溶ける特殊インクをヘッド部の熱で溶かして転写する熱転写方式のものなど種々のものを適用できるが、本具体例では好適なものとして、ノズルからインク滴を吹き付けるインクジェット方式のものとする。
【０１２５】
本具体例に係る印刷ヘッド部はすなわち、用紙送り手段によって湾曲させた状態で一定方向に送り操作されてくる用紙に対して、外部からの画像や文字などの情報の出力として印刷をなすものである。
【０１２６】
ここで、該印刷ヘッド部の外形構造は、該用紙送り手段によって送り操作される用紙の湾曲部位に対応させて湾曲しており、かつ該用紙送り手段による用紙の送り方向に対して略直交する方向に延設されてなるものとする。
【０１２７】
ゆえに、該印刷ヘッド部は、基本動作として、印刷対象となる用紙に対して、前記用紙送り手段による用紙の送り方向に対して略直交する方向に略ライン状に沿って略同時に印刷をなすとともに、かかる略同時の印刷が送り操作される用紙の送りスピードにあわせてなすことで、かかる用紙の全面にわたって情報の印刷をなす。
【０１２８】
しかして、本実施の形態に係る第１の具体例によるプリンター装置によれば、従来技術のごとき、回転ヘッド部を採用することに起因する回転ヘッド部モータ及び回転駆動部が不要となることから、それだけ小型化と軽量化が図れるとともに、印刷時における回転駆動がないことにより、振動や騒音の低減を図れるという顕著な作用効果を奏することができる。
（１．４．２．第１の発明の実施の形態の第１の具体例の構成）
本実施の形態の第１の具体例に係る構成について、図６、図９及び図１０を用いて説明する。
【０１２９】
本具体例に係る情報処理装置における概念的な内容は図６の通りであるが、その内部構成における筐体、情報処理手段等については、前記第１の実施の形態の構成で示した通りであり、ここでの説明は省略し、前記第１の実施の形態と異なる構成である印刷ヘッド部について説明する。
【０１３０】
また、本具体例に係る情報処理装置においてヘッド部は該印刷ヘッド部の情報処理部位が用紙の湾曲部位に対応させて湾曲し、かつ前記用紙送り手段による用紙の送り方向に対して略直交する方向に延設されていればよく、情報処理部位の形状としては、用紙の送り方向側から見た場合、例えば、円形状、Ｕ字型などが考えられるが、ここでは、情報処理部位が円形状となっている円柱状の印刷ヘッド部として説明する。
【０１３１】
印刷ヘッド部９１１は、本具体例においてはインクジェットヘッド部であって、ライン状もしくは千鳥状に配設させ、一定の形状を持った情報処理部位を複数有している。ここで、ライン状とは図９のようにラインに沿って点在して配設させることであり、千鳥状とは図１０のように端部に重複を持たせつつ配設することである。各情報処理部位は、インクを収容するインクタンク９１３と、このインクタンク９１３内のインクの流量を制御するヘッドチップ９１４と、このヘッドチップ９１４によりインクを導出させるノズル９１２とを有している。また、前記情報処理手段９１５に電気配線を介して接続され、用紙９１６に対して情報の印刷を行うようになっている。
【０１３２】
印刷ヘッド部９１１は、例えば外観は略円柱の形状をなし、内部にインクタンク９１３とヘッドチップ９１４を、円柱状の湾曲側面にノズル９１２を有し、前記情報処理装置から着脱可能となっており、この印刷ヘッド部９１１を交換することによりインク交換が可能となる。
【０１３３】
また、図示は省略するが、印刷ヘッド部９１１は、乾燥部を有していても構わない。そうすることにより、用紙９１６に対して吐出したインクを乾燥させることができる。
【０１３４】
ノズル９１２は、インクを吐出させるための孔であり、用紙９１６の表面に対向している。
【０１３５】
インクタンク９１３は、印刷ヘッド部９１１内部に配設され、インクを収容するようになっている。また、図９に示すように、各インクタンク９１３が複数のノズル９１２を備えたひとつのヘッドチップ９１４に接続されている。
【０１３６】
ヘッドチップ９１４は、たとえばＳｉ基盤から構成されており、そのチップ上に、図示はしていないが、ヒータ、ヒータ駆動のスイッチング回路及びロジック回路、そして電気配線との接続端子を備えている。なお、ヒータ、ヒータ駆動のスイッチング回路及びロジック回路の代わりに、ピエゾ素子、ピエゾ素子用のスイッチング回路及びロジック回路を用いても構わない。そうすることにより、発熱ではなく、電圧印加によりインク吐出を行うようにできる。
【０１３７】
そして、情報処理手段９１５と接続し、ノズル９１２近傍に配設され、該情報処理手段９１５からの指令に基づいて、ヒータを発熱、またはピエゾ素子に電圧印加させることで気泡を生成し、該気泡が破裂する圧力を用いてインクタンク９１３から供給されたインクをノズル９１２を介して吐出するようになっている。
【０１３８】
電気配線は、フレキシブルプリント基板から成り、前記情報処理手段９１５とヘッドチップ９１４とを電気的に接続している。そして、かかる情報処理手段９１５からの指令を該ヘッドチップに伝達するようになっている。
【０１３９】
情報処理手段９１５は、具体的にはＣＰＵ（Ｃｅｎｔｒａｌ　Ｐｒｏｃｅｓｓｉｎｇ　Ｕｎｉｔ）を搭載した基板であって、たとえばＲＯＭやＲＡＭなどの記憶部に記憶されているプログラムに従って、各種の処理、計算、条件判断、各種のデバイスの制御などを行う。かかるＣＰＵがＩＣ（Ｉｎｔｅｇｒａｔｅｄ　Ｃｉｒｃｕｉｔ）チップとして、基板に搭載されてなるものとする。そうして、用紙送り手段９０７及び印刷ヘッド部９１１に接続し、電源供給用ジャック９０６を介した外部からの電源供給により、用紙送り手段９０７及び印刷ヘッド部９１１の制御を行うようになっている。
【０１４０】
なお、上記筐体９０１内には、上記情報処理手段９１５に接続される電池を収納することとして電源の供給を行ってもよい。この場合には、上記情報処理手段９１５は上記電池より電源が供給されることにより、情報処理装置の駆動電源を供給する。
【０１４１】
用紙９１６は、例えば、コピー用紙や葉書、ＯＨＰ（Ｏｖｅｒｈｅａｄ　Ｐｒｏｊｅｃｔｏｒ）用紙などであって、平面的な広がりを持つ紙状のものであればよく、その材料は問わない。また、該用紙９１６は本実施の形態に係る情報処理装置を構成する部材ではなく、該情報処理装置を使用する際に用いる部材である。
【０１４２】
また、該用紙９１６の大きさは、例えば、日本工業規格（ＪＩＳ）におけるＡ４サイズから葉書サイズのものであり、いわゆるコピー用紙や葉書として使用されている用紙程度の厚さを有するものである。なお、用紙９１６の大きさをＡ４サイズに限定せず、様々な用紙の大きさに対応させて、入力または出力を可能とさせる場合には、該用紙９１６を出力が行われる位置に配設できるように、位置決めガイドを設けることとなる。
（１．４．３．第１の発明の実施の形態の第１の具体例の動作）
このプリンター装置においては、図９に示すように、ガイド部材９０３とガイド内筒部９０４によって支持された用紙９１６が、貫通孔９０２に湾曲した状態で挿入操作される。
【０１４３】
筐体９０１に形成されている貫通孔９０２内に挿入された一又は複数の用紙９１６は、用紙送りローラ９０８と用紙送りガイドローラ９０９とにより、狭持される。そして、用紙送りローラ９０８が、情報処理手段９１５によって制御されたモータ９１０の駆動により回転操作されると、用紙送りローラ９０８および用紙送りガイドローラ９０９とにより、狭持されていた用紙９１６は、用紙送りローラ９０８の回転方向に応じて、ガイド部材９０３側から印刷ヘッド部９１１側に向けて、送り操作される。
【０１４４】
該印刷ヘッド部９１１では、情報信号用ジャック９０５を介して伝達されてきた印刷情報に基づいて、情報処理手段９１５が信号を出すことで、ヘッドチップ９１４の発熱抵抗体が加熱され、気泡を生成する。該気泡は破裂することで、インクタンク９１３内のインクがノズル９１２から印刷ヘッド部９１１の外へと吐出される。
【０１４５】
該貫通孔９０２に挿入された用紙９１６は送り操作されながら、印刷ヘッド部９１１のノズル９１２と対面することで、用紙９１６の移動方向と略直交する幅全長に亘って略同時に印刷される。
【０１４６】
そして、このプリンター装置において、カラー印刷を行うためには、黒色印刷用の印刷ヘッド部（ブラック）、シアン印刷用の印刷ヘッド部（シアン）、イエロー印刷用の印刷ヘッド部（イエロー）、マゼンダ印刷用の印刷ヘッド部（マゼンダ）という各印刷ヘッド部を前記用紙送り手段９０７による用紙９１６の送り方向に対して少なくとも４段に配置されることとなる。むろん、４段以上の配置とすることで、情報の印刷の確実性を高めることは言うまでもなく、また、その配置順序は確実性を高める観点では問わない。
（１．５．第１の発明の実施の形態の第２の具体例）
まず、第１の発明の実施の形態の第２の具体例について、図７を用いて説明する。
【０１４７】
図７は、本発明の第１の発明の実施の形態の第２の具体例に係るスキャナ装置を模式的に示す縦断正面図である。
（１．５．１．第１の発明の実施の形態の第２の具体例の概要）
本具体例はすなわち、第１の実施の形態に係る情報処理装置の一態様であって、用紙に表記された情報を取り込むスキャナ装置に関するものである。
【０１４８】
本具体例は、前記第１の実施の形態に係る情報処理装置が複数の具体的な装置のバリエーションを包含する概念的な内容であることに起因して、ヘッド部の内容も抽象的要素を含む説明となっていたのに対して、スキャナ装置という具体的な態様であることから、ヘッド部も取込ヘッド部という具体物となっている点で異なる。他方、その他の部位については前記情報処理装置と共通することが多いので、重複する説明については、以下の説明からは除くこととする。
【０１４９】
本具体例に係る取込ヘッド部はすなわち、用紙送り手段によって湾曲させた状態で一定方向に送り操作されてくる用紙に対して、該用紙に表記されている情報の入力として取り込みをなすものである。
【０１５０】
ここで、該取込ヘッド部の外形構造は、該用紙送り手段によって送り操作される用紙の湾曲部位に対応させて湾曲しており、かつ該用紙送り手段による用紙の送り方向に対して略直交する方向に延設されてなるものとする。
【０１５１】
ゆえに、該取込ヘッド部は、基本動作として、取り込み対象となる用紙に対して、前記用紙送り手段による用紙の送り方向に対して略直交する方向に略ライン状に沿って略同時に取り込みを行うとともに、かかる略同時の取り込みが送り操作される用紙の送りスピードにあわせてなすことで、かかる用紙の全面にわたって情報の取り込みを行う。
【０１５２】
しかして、本実施の形態の第２の具体例によるスキャナ装置によれば、従来技術のごとき、回転ヘッド部を採用することに起因する回転ヘッド部モータ及び回転駆動部が不要となることから、それだけ小型化と軽量化が図れるとともに、取り込み時における回転駆動がないことにより、振動や騒音の低減を図れるという顕著な作用効果を奏することができる。
（１．５．２．第１の発明の実施の形態の第２の具体例の構成）
本実施の形態の第２の具体例に係る構成について、図７を用いて説明する。
【０１５３】
本具体例に係る情報処理装置における筐体、情報処理手段等については、前記第１の実施の形態の構成で示した通りであり、ここでは省略し、前記第１の実施の形態と異なる構成である取込ヘッド部について説明する。
【０１５４】
また、本具体例に係る情報処理装置においてヘッド部は該取込ヘッド部の情報処理部位が用紙の湾曲部位に対応させて湾曲し、かつ前記用紙送り手段による用紙の送り方向に対して略直交する方向に延設されていればよく、情報処理部位の形状としては、用紙の送り方向側から見た場合、例えば、円形状、Ｕ字型などが考えられるが、ここでは、情報処理部位が円形状となっている円柱状の取込ヘッド部として説明する。
【０１５５】
取込ヘッド部７１１は、発光体７１２、受光レンズ７１３、イメージセンサ７１４を備えた一の情報処理部位を有してなる。そして、該取込ヘッド部７１１は、前記情報処理手段７１５に電気配線を介して接続され、前記用紙７１６上に表記された情報の取り込みを行うようになっている。
【０１５６】
発光体７１２は、たとえばＬＥＤ（Ｌｉｇｈｔ−Ｅｍｉｔｔｉｎｇ　Ｄｉｏｄｅ）などの発光素子からなり、対象となる用紙７１６に光を当てるようになっている。なお、ここで赤、青、緑の３色のＬＥＤを用いることにより、カラーに対応した取込ヘッド部とすることも可能である。
【０１５７】
受光レンズ７１３は、対象となる用紙７１６から反射した光を、決まった場所のイメージセンサ７１４へ届けるようになっている。
【０１５８】
イメージセンサ７１４は、たとえばＣＣＤ（Ｃｈａｒｇｅ　Ｃｏｕｐｌｅｄ　Ｄｅｖｉｃｅ）を用いたチップであり、受光レンズ７１２から届いた光の量を電圧（アナログ信号）に変えるようになっている。
【０１５９】
電気配線は、フレキシブルプリント基板から成り、前記情報処理手段７１５と前記取込ヘッド部７１１とを電気的に接続している。そして、かかる情報処理手段７１５からの指令を該取込ヘッド部７１１に伝達するようになっている。
【０１６０】
情報処理手段７１５は、具体的にはＣＰＵ（Ｃｅｎｔｒａｌ　Ｐｒｏｃｅｓｓｉｎｇ　Ｕｎｉｔ）を搭載した基板であって、たとえばＲＯＭやＲＡＭなどの記憶部に記憶されているプログラムに従って、各種の処理、計算、条件判断、各種のデバイスの制御などを行う。かかるＣＰＵがＩＣ（Ｉｎｔｅｇｒａｔｅｄ　Ｃｉｒｃｕｉｔ）チップとして、基板に搭載されてなるものとする。かかるＣＰＵがＩＣ（Ｉｎｔｅｇｒａｔｅｄ　Ｃｉｒｃｕｉｔ）チップとして、基板に搭載されてなるものとする。そして、例えば用紙送り手段７０７及び取込ヘッド部７１１に接続し、電源供給用ジャック７０６を介して外部より電源供給されることにより、例えば用紙送り手段７０７及び取込ヘッド部７１１の制御を行うようになっている。
【０１６１】
用紙７１６は、例えば、コピー用紙や葉書、ＯＨＰ（Ｏｖｅｒｈｅａｄ　Ｐｒｏｊｅｃｔｏｒ）用紙などであって、平面的な広がりを持つ紙状のものであればよく、その材料は問わない。また、該用紙７１６は本実施の形態に係る情報処理装置を構成する部材ではなく、該情報処理装置を使用する際に用いる部材である。
【０１６２】
また、該用紙７１６の大きさは、例えば、日本工業規格（ＪＩＳ）におけるＡ４サイズから葉書サイズのものであり、いわゆるコピー用紙や葉書として使用されている用紙程度の厚さを有するものである。なお、用紙７１６の大きさをＡ４サイズに限定せず、様々な用紙の大きさに対応させて、入力または出力を可能とさせる場合には、該用紙７１６を出力が行われる位置に配設できるように、位置決めガイドを設けることとなる。
【０１６３】
なお、筐体７０１内には、上記情報処理手段７１５に接続される電池を収納することとして電源の供給を行ってもよい。この場合には、上記情報処理手段７１５は上記電池より電源が供給されることにより、情報処理装置の駆動電源を供給する。
（１．５．３．第１の発明の実施の形態の第２の具体例の動作）
このスキャナ装置においては、ガイド部材７０３とガイド内筒部７０４によって支持された用紙７１６が、貫通孔７０２に湾曲した状態で挿入操作される。
【０１６４】
筐体７０１に形成されている貫通孔７０２内に挿入された一又は複数の用紙７１６は、用紙送りローラ７０８と用紙送りガイドローラ７０９とにより、狭持される。そして、用紙送りローラ７０８が、情報処理手段７１５によって制御されたモータ７１０の駆動により回転操作されると、これら用紙送りローラ７０８および用紙送りガイドローラ７０９とにより、狭持されていた用紙７１６は、上記用紙送りローラ７０８の回転方向に応じて、ガイド部材７０３側から取込ヘッド部７１１側に向けて、送り操作される。
【０１６５】
対象となる用紙７１６が挿入され、取込ヘッド部７１１が動作する位置に到達すると、発光体７１２は、その用紙に光を当てるように動作する。その用紙から反射した光は、受光レンズ７１３を介して、イメージセンサ７１４に届けられる。そこで、イメージセンサは、届いた光の量を電圧（アナログ信号）に変える。そして、そのアナログ信号が電気的に接続した情報処理手段７１５に伝達されることにより、用紙上に表記された情報を情報処理装置に取り込むことができるようになる。
（１．６．第１の発明の実施の形態の第３の具体例）
まず、第１の発明の実施の形態の第３の具体例について、図８を用いて説明する。
【０１６６】
図８は、本発明の第１の発明の実施の形態の第３の具体例に係るプリンタ・スキャナ併設装置を模式的に示す縦断正面図である。
（１．６．１．第１の発明の実施の形態の第３の具体例の概要）
本具体例はすなわち、第１の実施の形態に係る情報処理装置の一態様であって、用紙に対して印刷を行うプリンター機能、及び用紙に表記された情報を取り込むスキャナ機能の両機能を併せ持つプリンタ・スキャナ併設装置に関するものである。
【０１６７】
本具体例は、第１の実施の形態に係る情報処理装置が複数の具体的な装置のバリエーションを包含する概念的な内容であることに起因して、ヘッド部の内容も抽象的要素を含む説明となっていたのに対して、プリンタ・スキャナ併設装置という具体的な態様であることから、ヘッド部も併設ヘッド部という具体物となっている点で異なる。また、この併設ヘッド部は、第１の実施の形態の第１の具体例に係る印刷ヘッド部と第２の具体例に係る取込ヘッド部の両方の機能を有するものであり、印刷ヘッド部と取込ヘッド部が前記用紙送り手段による用紙の送り方向に対して少なくとも２段に分かれさせるとともに、かかる用紙送り方向に略直交する方向に沿って配置される点で、第１の具体例及び第２の具体例と異なる。
【０１６８】
他方、その他の部位については情報処理装置、プリンター装置およびスキャナ装置と共通することが多いので、重複する説明については、以下の説明からは除くこととする。
【０１６９】
本具体例に係る併設ヘッド部はすなわち、用紙送り手段によって湾曲させた状態で一定方向に送り操作されてくる用紙に対して、該用紙に対して、外部からの画像や文字などの情報の印刷または／および取り込みをなすものである。
【０１７０】
ここで、該併設ヘッド部の基本構造は、該用紙送り手段によって送り操作される用紙の湾曲部位に対応させて湾曲している。そして該用紙送り手段による用紙の送り方向に対して略直交する方向に延設されてなる印刷ヘッド部および取込ヘッド部が、該用紙送り手段による用紙の送り方向に対して少なくとも２段に分かれさせるとともに、かかる用紙送り方向に略直交する方向に沿って配置されるであるものとする。
【０１７１】
ゆえに、該併設ヘッド部は、基本動作として、外部からの画像や文字などの情報の印刷または／および取り込み対象となる用紙において、該用紙送り手段による用紙の送り方向に対して略直交する方向に延設されたラインに沿って略同時に情報の印刷または／および取り込みを行うとともに、かかる略同時の情報の印刷または／および取り込みが送り操作される用紙の送りスピードにあわせてなすことで、かかる用紙の全面にわたって外部からの画像や文字などの情報の印刷または／および取り込みを行う。
【０１７２】
しかして、本実施の形態の第３の具体例によるプリンタ・スキャナ併設装置によれば、従来技術のごとき、回転ヘッド部を採用することに起因する回転ヘッド部モータ及び回転駆動部が不要となることから、情報の印刷または／および取り込み時において、振動や騒音の低減を図れるという顕著な作用効果を奏することができる。
（１．６．２．第１の発明の実施の形態の第３の具体例の構成）
本実施の形態の第３の具体例に係る構成について、図８を用いて説明する。
【０１７３】
本具体例に係る情報処理装置における筐体、情報処理手段等については、前記第１の実施の形態の構成で示した通りであり、ここでは省略し、前記第１の実施の形態と異なる構成である併設ヘッド部について説明する。
【０１７４】
また、本具体例に係る情報処理装置においてヘッド部は該併設ヘッド部８１１の情報処理部位が用紙の湾曲部位に対応させて湾曲し、かつ用紙送り手段８０７による用紙８１５の送り方向に対して略直交する方向に延設されていればよく、情報処理部位の形状としては、用紙の送り方向側から見た場合、例えば、円形状、Ｕ字型などが考えられる。ここでは、情報処理部位が円形状となっている円柱状の併設ヘッド部８１１として説明する。
【０１７５】
併設ヘッド部８１１は、印刷ヘッド部８１２および取込ヘッド部８１３が、前記用紙送り手段８０７による用紙８１５の送り方向に対して少なくとも２段に分かれさせるとともに、かかる用紙送り方向に略直交する方向に沿って配置されたものであり、各ヘッド部の内部構成は前述した通りであるので、ここでは省略する。また、各ヘッド部は、それぞれ前記情報処理手段８１４に電気配線を介して接続され、前記用紙８１５に対して情報の印刷または／および取り込みを行うようになっている。
【０１７６】
また、印刷ヘッド部８１２は、併設ヘッド部８１１から着脱可能となっており、この印刷ヘッド部を交換することによりインク交換が可能となる。
【０１７７】
情報処理手段８１４は、具体的にはＣＰＵ（Ｃｅｎｔｒａｌ　Ｐｒｏｃｅｓｓｉｎｇ　Ｕｎｉｔ）を搭載した基板であって、たとえばＲＯＭやＲＡＭなどの記憶部に記憶されているプログラムに従って、各種の処理、計算、条件判断、各種のデバイスの制御などを行う。かかるＣＰＵがＩＣ（Ｉｎｔｅｇｒａｔｅｄ　Ｃｉｒｃｕｉｔ）チップとして、基板に搭載されてなるものとする。そうして、用紙送り手段８０７及び併設ヘッド部８１１に接続し、電源供給用ジャック８０６を介して外部より電源供給されることにより、例えば用紙送り手段８０７及び併設ヘッド部８１１の制御を行うようになっている。この情報処理手段８１４による併設ヘッド部８１１に対する制御は、印刷ヘッド部８１２と取込ヘッド部８１３のどちらか一方のみの処理，又は略同時に両方の処理を行うようにすることを可能とする。
【０１７８】
なお、前記用紙８１５は、例えば、コピー用紙や葉書、ＯＨＰ（Ｏｖｅｒｈｅａｄ　Ｐｒｏｊｅｃｔｏｒ）用紙などであって、平面的な広がりを持つ紙状のものであればよく、その材料は問わない。また、該用紙８１５は本実施の形態に係る情報処理装置を構成する部材ではなく、該情報処理装置を使用する際に用いる部材である。
【０１７９】
また、該用紙８１５の大きさは、例えば、日本工業規格（ＪＩＳ）におけるＡ４サイズから葉書サイズのものであり、いわゆるコピー用紙や葉書として使用されている用紙程度の厚さを有するものである。なお、用紙８１５の大きさをＡ４サイズに限定せず、様々な用紙の大きさに対応させて、入力または出力を可能とさせる場合には、該用紙８１５を出力が行われる位置に配設できるように、位置決めガイドを設けることとなる。
（１．６．３．第１の発明の実施の形態の第３の具体例の動作）
このプリンタ・スキャナ併設装置においては、ガイド部材８０３とガイド内筒部８０４によって支持された用紙８１６が、貫通孔８０２に湾曲した状態で挿入操作される。
【０１８０】
筐体８０１に形成されている貫通孔８０２内に挿入された用紙は、用紙送りローラ８０８と用紙送りガイドローラ８０９とにより、狭持される。そして、上記用紙送りローラ８０８が、情報処理手段によって制御されたモータ８１０の駆動により回転操作されると、これら用紙送りローラ８０８および用紙送りガイドローラ８０９とにより、狭持されていた用紙８１６は、上記用紙送りローラ８０８の回転方向に応じて、ガイド部材８０３側から併設ヘッド部８１１側に向けて、送り操作される。
【０１８１】
対象となる用紙８１５が挿入され、併設ヘッド部８１１との間で情報の印刷または／および取り込みを行う位置に到達すると、該併設ヘッド部８１１では、情報信号用ジャック８０５を介して伝達されてきた印刷情報に基づいて、情報処理手段８１４が信号を出すことで、用紙８１５の移動方向と略直交する幅全長に亘って、用紙８１５上に表記された情報の取り込み又は、用紙上への情報の印刷がなされる。
【０１８２】
また、このプリンタ・スキャナ併設装置は、情報処理手段８１４に記憶部を有していることから複写装置として用いることもできる。
【０１８３】
また、このプリンタ・スキャナ併設装置においては、筐体８０１内において、取込ヘッド部８１３を印刷ヘッド部８１２より用紙８１５が送り出される側に配設すれば、上記印刷ヘッド部８１２で印刷された印刷色を上記取込ヘッド部８１３によりモニタすることによって、印刷を行いながら、印刷色の補正を行うことができる。その場合、上記ガイド内筒部８０４を、又は、併設ヘッド部８１１を上記筐体８０１に対して回動可能に支持されたものとすることで、印刷ヘッド部８１２を交換でき、インクの交換を可能とすることができる。
（１．７．その他）
本実施の形態に係る情報処理装置は、情報処理部位を筐体内において貫通孔よりも筐体の外周側に設置することにより、対象となる湾曲させた用紙に対して、湾曲外側から情報の入力または／および出力を行うようにしても構わない。そうすることにより、情報の出力を行う際に、送り出される用紙に出力された情報の出力結果を即座に確認することでき、かかる出力結果の確認を早めることができるという利点がある。
（２．第２の発明の実施の形態）
まず、第２の発明の実施の形態について、図１１乃至図１３を用いて説明する。
【０１８４】
図１１は、本発明の第２の発明の実施の形態に係る情報処理装置を示す構成図であり、図１２及び図１３は、本発明の第２の実施の形態に係る情報処理装置の使用状態を示す構成図である。
（２．１．第２の発明の実施の形態の概要）
本実施の形態はすなわち、情報処理装置であって、情報の処理を行う部位であるユニット体が、他の部位から独立して着脱自在として、必要に応じて別のユニット体に交換することを目的としている。
【０１８５】
かかる情報処理装置は、装置としてより一層の小型化及び軽量化を実現するとともに、情報処理時における振動や騒音を極力抑えることを目的としている。
【０１８６】
その情報処理装置の内部構成についてヘッド部に係る部分以外は、前記第１の実施の形態に示した通りであり、ここでは省略する。本実施の形態は、その情報処理装置におけるユニット体の着脱を、情報処理装置の底部に開閉自在とする開閉底を用いることにより、実現可能とするものである。また、底部に開閉底を用いずにユニット体の着脱を行うことも可能であるが、本実施の形態では開閉底を用いた場合に関して説明する。
【０１８７】
なお、ここで情報処理装置とは、用紙に対して外部からの画像や文字などの情報の出力をなす情報出力装置と、用紙に表された情報の取り込みをなす情報入力装置のいずれか一方の概念で捉えることができ、さらに、両者を兼ね備えた情報入出力装置という概念で捉えることもできる。
（２．２．第２の発明の実施の形態の構成）
本実施の形態に係る構成について、図１１を用いて説明する。本実施の形態に係る情報処理装置における筐体、情報処理手段等については、前記第１の実施の形態の構成で示した通りであり、ここでは省略する。従って、ここでは、ユニット体を他の部位から独立して着脱自在とするための構成について説明する。
【０１８８】
開閉ボタン１１０１は、たとえばプラスチック製のボタンであり、たとえば図示において情報信号ジャックより筐体の底面側に位置している。そして、後述する挿入孔１１０２とバネ等の弾性部材を介して接続しており、押圧することにより、後述する開閉底１１０３の開閉を行うことができるようになっている。
【０１８９】
挿入孔１１０２は、後述する開閉底１１０３を突出部１１０４に固定することができ、かつかかる突出部１１０４を前記開閉ボタン１１０１とバネ等の弾性部材を介して接続できるような形状をしている。
【０１９０】
開閉底１１０３は、たとえば合成樹脂などでできており、ユニット体１１０５を支持できる大きさを持ち、開閉ボタン１１０１を介して開閉できるようになっている。また、突出部１１０４を有しており、その突出部１１０４を挿入孔１１０２に挿入することにより、情報処理装置の底部に固定されるようになっている。また、かかる開閉底１１０３の上面が、ユニット体１１０５を支持する形状を採っており、該ユニット体１１０５を情報処理装置内に固定できるようになっている。
【０１９１】
ユニット体１１０５は、前記第１の実施の形態で示したようなヘッド部であり、例えば印刷ヘッド部、取込ヘッド部、それらを併用し印刷及び取り込みが可能である併設ヘッド部であって、用紙送り手段によって送り操作される用紙の湾曲部位に対応させて湾曲しており、かつ該用紙送り手段による用紙の送り方向に対して略直交する方向に延設した形状をしており、情報処理手段に接続され、情報の印刷または／および取り込みを行うようになっている。
（２．３．第２の発明の実施の形態の動作）
次に本実施の形態に係る動作について説明する。
【０１９２】
図１１において、突出部１１０４を挿入孔１１０２に嵌め込むことにより、開閉底１１０３が情報処理装置の底部に固定されている。そして、開閉底１１０３がユニット体１１０５を支持することにより、かかるユニット体が情報処理装置内に固定されるようになっている。
【０１９３】
そして、開閉ボタン１１０１を押圧することにより、突出部１１０４の嵌め込みを外し、開閉底１１０３を図１２のように開閉できるようになっている。開閉底１１０３の上面はユニット体１１０５を支持するような形状をしており、開閉底１１０３の開閉に伴い、ユニット体を情報処理装置から外すことができるようになっている。
【０１９４】
そして、図１３に示すように、ユニット体１１０５を開閉底１１０３上面から取り外すことができ、別のユニット体との交換ができるようになっている。そうすることにより、必要に応じて情報の入力、出力の動作を選択できるようになる。
（２．４．第２の発明の実施の形態を構成するヘッド部の第１の具体例）
本実施の形態を構成するヘッド部の具体例を図１４乃至図１６を用いて説明する。
【０１９５】
図１４はラインに沿って点在するノズルを有する印刷ヘッド部の外観図であり、図１５は図１４の内部構成図であり、また図１６は図１４の内部構成の断面図である。
（２．４．１．第２の発明の実施の形態を構成するヘッド部の第１の具体例の概要）
本実施の形態を構成するヘッド部の具体例としてのラインに沿って点在するノズルを備えた印刷ヘッド部を説明する。ここで、ノズルをラインに沿って点在させることにより、ヘッドチップもラインに沿って点在させて配設することが可能となり、前記第１の実施の形態に係る情報処理装置のさらなる薄型化を図ることができるようになる。
（２．４．２．第２の発明の実施の形態を構成するヘッド部の第１の具体例の構成）
図１４において、印刷ヘッド部１４０１は、ラインに沿って点在するノズル１４０２と電気配線１４０３を備えており、第２の発明の実施の形態で示した着脱自在であるユニット体に適した形状をしている。
【０１９６】
ノズル１４０２は、インクを吐出するための孔であり、ラインに沿って点在して配設されている。
【０１９７】
電気配線１４０３は、フレキシブルプリント基板から成り、前記第１の実施の形態で示した情報処理手段と後述するヘッドチップ１５０１とを電気的に接続している。そして、かかる情報処理手段からの指令を該ヘッドチップに伝達するようになっている。
【０１９８】
また、図１５及び図１６において、ヘッドチップ１５０１及び１６０１は、たとえばＳｉ基盤から構成されており、そのチップ上に、図示はしていないが、ヒータ、ヒータ駆動のスイッチング回路及びロジック回路、そして電気配線との接続端子を備えている。そして、情報処理手段からの指令に基づいて、インクタンク１６０２から供給されたインクを、ヒータを用いて吐出するようになっている。なお、ヒータ、ヒータ駆動のスイッチング回路及びロジック回路の代わりに、ピエゾ素子、ピエゾ素子用のスイッチング回路及びロジック回路を用いても構わない。そうすることにより、発熱ではなく、電圧印加によりインク吐出を行うようにできる。
（２．４．３．第２の発明の実施の形態を構成するヘッド部の第１の具体例の動作）
外部からの画像や文字などの情報は、情報処理手段で処理され、その情報処理手段と接続する電気配線１４０３を介してヘッドチップ１５０１に伝達される。そして、ヘッドチップ１５０１はその指令に基づいて、ヒータの発熱量を制御し、ノズル１４０２からのインクの吐出量を制御できるようになっている。
（２．５．第２の発明の実施の形態を構成するヘッド部の第２の具体例）
本実施の形態を構成するヘッド部の具体例を図１７乃至図１９を用いて説明する。
【０１９９】
図１７は千鳥状のノズルを有する印刷ヘッド部の外観図であり、図１８は図１７の内部構成図であり、また図１９は図１７の内部構成の断面図である。
（２．５．１．第２の発明の実施の形態を構成するヘッド部の第２の具体例の概要）
本実施の形態を構成するヘッド部の具体例としての千鳥状のノズルを備えた印刷ヘッド部を説明する。ここで、千鳥状とは、端部に重複を持ちながらずれて配設することである。すなわち、ノズルを千鳥状に配設することにより、各ヘッドチップの端部においてもインク吐出が可能となり、細やかで精密な印刷を行うことができるようになる。
（２．５．２．第２の発明の実施の形態を構成するヘッド部の第２の具体例の構成）
図１７において、印刷ヘッド部１７０１は、千鳥状のノズル１７０２と電気配線１７０３を備えており、第２の発明の実施の形態で示した着脱自在であるユニット体に適した形状をしている。
【０２００】
ノズル１７０２は、インクを吐出するための孔であり、千鳥状に配設されている。
【０２０１】
電気配線１７０３は、フレキシブルプリント基板から成り、前記第１の実施の形態で示した情報処理手段と後述するヘッドチップ１８０１とを電気的に接続している。そして、かかる情報処理手段からの指令を該ヘッドチップ１８０１に伝達するようになっている。
【０２０２】
また、図１８及び図１９において、ヘッドチップ１８０１は、たとえばＳｉ基盤から構成されており、そのチップ上に、図示はしていないが、ヒータ、ヒータ駆動のスイッチング回路及びロジック回路、そして電気配線１７０２との接続端子を備えている。そして、情報処理手段からの指令に基づいて、インクタンク１９０２から供給されたインクを、ヒータを用いて吐出するようになっている。なお、ヒータ、ヒータ駆動のスイッチング回路及びロジック回路の代わりに、ピエゾ素子、ピエゾ素子用のスイッチング回路及びロジック回路を用いても構わない。そうすることにより、発熱ではなく、電圧印加によりインク吐出を行うようにできる。
（２．５．３．第２の発明の実施の形態を構成するヘッド部の第２の具体例の動作）
外部機器からの画像や文字などの情報は、情報処理手段で処理され、ヘッドチップ１８０１への指令が作成される。その指令は電気配線１７０３を介してヘッドチップ１８０１に伝達される。そして、ヘッドチップ１８０１はその指令に基づいて、ヒータの発熱量やピエゾ素子の電圧を制御し、ノズル１７０２からのインクの吐出量を制御できるようになっている。
（２．６．第２の発明の実施の形態を構成するヘッド部の第３の具体例）
本実施の形態を構成するヘッド部の具体例を図２０及び図２１を用いて説明する。図２０は取込ヘッド部の外観を示した図である。また図２１は図２０の内部構成の断面図である。
（２．６．１．第２の発明の実施の形態を構成するヘッド部の第３の具体例の概要）
本実施の形態を構成するヘッド部の具体例として、用紙上に表記された情報を取り込む取込ヘッド部を説明する。
（２．６．２．第２の発明の実施の形態を構成するヘッド部の第３の具体例の構成）
図２０及び図２１において、取込ヘッド部２００１は、発光体２００２と受光レンズ２００３を備えており、第２の発明の実施の形態で示した着脱自在であるユニット体に適した形状をしている。
【０２０３】
発光体２００２は、たとえばＬＥＤ（Ｌｉｇｈｔ−Ｅｍｉｔｔｉｎｇ　Ｄｉｏｄｅ）などの発光素子からなり、対象となる用紙に光を当てるようになっている。なお、ここで赤、青、緑の３色のＬＥＤを用いることにより、カラーに対応した取込ヘッド部２００１とすることも可能である。
【０２０４】
受光レンズ２００３は、対象となる用紙から反射した光を、イメージセンサ２１０３へ届けるようになっている。
【０２０５】
イメージセンサ２１０３は、たとえばＣＣＤ（Ｃｈａｒｇｅ　ＣｏｕｐｌｅｄＤｅｖｉｃｅ）を用いたチップであり、受光レンズ２００３から届いた光の量を電圧（アナログ信号）に変えるようになっている。
（２．６．３．第２の発明の実施の形態を構成するヘッド部の第２の具体例の動作）
対象となる用紙が挿入され、取込ヘッド部２００１が用紙上の情報を取り込む位置に到達すると、発光体２００２は、その用紙に光を当てるように動作する。その用紙から反射した光は、受光レンズ２００３を介して、イメージセンサ２１０３に届けられる。そこで、イメージセンサ２１０３は、届いた光の量を電圧（アナログ信号）に変える。そして、そのアナログ信号が電気的に接続した情報処理手段に伝達されることにより、用紙上に表記された情報を情報処理装置に取り込むことができるようになる。
（２．７．第２の発明の実施の形態を構成するヘッド部の第４の具体例）
本実施の形態を構成するヘッド部の具体例を図２２を用いて説明する。図２２は印刷ヘッド部と取込ヘッド部とを併設したヘッド部の外観を示した図である。
（２．７．１．第２の発明の実施の形態を構成するヘッド部の第４の具体例の概要）
本実施の形態を構成するヘッド部の具体例として、用紙に対して情報を印刷する印刷ヘッド部と用紙上に表記された情報を取り込む取込ヘッド部を併設したヘッド部を説明する。
（２．７．２．第２の発明の実施の形態を構成するヘッド部の第４の具体例の構成）
図２２において、併設ヘッド部２２０１は、第２の発明の実施の形態で示した着脱自在であるユニット体に適した形状をしている。なお、併設ヘッド部２２０１において、印刷ヘッド部と取込ヘッド部の配置順序は確実性を高める観点では問わない。
ヘッドチップ２２０２は、たとえばＳｉ基盤から構成されており、そのチップ上に、図示はしていないが、ヒータ、ヒータ駆動のスイッチング回路及びロジック回路、そして電気配線との接続端子を備えている。そして、情報処理手段からの指令に基づいて、インクタンク２２０３から供給されたインクを、ヒータを用いて吐出するようになっている。なお、ヒータ、ヒータ駆動のスイッチング回路及びロジック回路の代わりに、ピエゾ素子、ピエゾ素子用のスイッチング回路及びロジック回路を用いても構わない。そうすることにより、発熱ではなく、電圧印加によりインク吐出を行うようにできる。
【０２０６】
発光体２２０４は、たとえばＬＥＤ（Ｌｉｇｈｔ−Ｅｍｉｔｔｉｎｇ　Ｄｉｏｄｅ）などの発光素子からなり、対象となる用紙に光を当てるようになっている。なお、ここで赤、青、緑の３色のＬＥＤを用いることにより、カラーに対応した取込ヘッド部とすることも可能である。
【０２０７】
受光レンズ２２０５は、対象となる用紙から反射した光を、決まった場所のイメージセンサ２２０６へ届けるようになっている。
【０２０８】
イメージセンサ２２０６は、たとえばＣＣＤ（Ｃｈａｒｇｅ　ＣｏｕｐｌｅｄＤｅｖｉｃｅ）を用いたチップであり、受光レンズ２２０５から届いた光の量を電圧（アナログ信号）に変えるようになっている。
（２．７．３．第２の発明の実施の形態を構成するヘッド部の第４の具体例の動作）
併設ヘッド部は、印刷ヘッド部と取込ヘッド部のどちらか一方または両方の動作を選択できるようになっている。
【０２０９】
印刷ヘッド部２２０１を動作させる場合には、外部機器からの画像や文字などの情報が、情報処理手段で処理され、ヘッドチップ２２０２への指令が作成される。その指令は電気配線を介してヘッドチップ２２０２に伝達される。そして、ヘッドチップ２２０２はその指令に基づいて、ヒータやピエゾ素子を制御し、ノズルからのインクの吐出量を制御できるようになっている。
【０２１０】
取込ヘッド部を動作させる場合には、対象となる用紙が挿入され、取込ヘッド部が用紙上の情報を取り込む位置に到達すると、発光体２２０４は、その用紙に光を当てるように動作する。その用紙から反射して、用紙から反射した光は、受光レンズ２２０５を介して、イメージセンサ２２０６に届けられる。そこで、イメージセンサ２２０６は、届いた光の量を電圧（アナログ信号）に変える。そして、そのアナログ信号が電気的に接続した情報処理手段に伝達されることにより、用紙上に表記された情報を情報処理装置に取り込むことができるようになる。
【０２１１】
また、併設ヘッド部２２０１は、印刷ヘッド部と取込ヘッド部の両方を略同時に用いることができるようにすることも可能となる。その場合、印刷ヘッド部、乾燥部、取込ヘッド部の順に併設すれば、上記印刷ヘッド部で印刷された印刷色を上記取込ヘッド部によりモニタすることによって、印刷を行いながら、印刷色の補正を行うことができる。そして、前記ガイド内筒部、又は併設ヘッド部２２０１を前記筐体に対して回動可能に支持されたものとすることで、印刷ヘッド部を交換でき、インクの補給を可能とすることができる。
（３．第３の発明の実施の形態）
第３の発明の実施の形態について、図２３乃至図２５を用いて説明する。
【０２１２】
図２３は、本発明の第３の発明の実施の形態に係る情報処理装置を具備した電子機器を示す斜視図であり、図２４及び図２５は、本発明の第３の実施の形態に係る情報処理装置を具備した電子機器の使用状態を示す斜視図である。
（３．１．第３の発明の実施の形態の概要）
本実施の形態はすなわち、情報処理装置を具備した電子機器であって、電子機器と情報処理装置の操作を一体的に行うことを目的としている。
【０２１３】
かかる情報処理装置は、装置としてより一層の小型化及び軽量化を実現するとともに、情報処理時における振動や騒音を極力抑えることを目的としている。その情報処理装置の内部構成については、前記第１の実施の形態に示した情報処理装置の通りであり、ここでは省略する。
【０２１４】
なお、ここで情報処理装置とは、用紙に対して外部からの画像や文字などの情報の出力をなす情報出力装置と、用紙に表された情報の取り込みをなす情報入力装置のいずれか一方の概念で捉えることができ、さらに、両者を兼ね備えた情報入出力装置という概念で捉えることもできる。
（３．２．第３の発明の実施の形態の構成）
本実施の形態に係る構成について、図２３を用いて説明する。
【０２１５】
電子機器２３０１は、たとえばコンピュータ装置であり、ディスプレイ部２３０２と操作部２３０３から成っている。
【０２１６】
情報処理装置２３０４は、用紙送り手段、情報処理手段等から成っており、その詳細については、前記第１の実施の形態の構成で示した通りであり、ここでは省略する。かかる情報処理装置は、電子機器２３０１の操作部２３０３の端部近傍に組み込まれている。なお、情報処理装置２３０４は電子機器２３０１のディスプレイ部２３０２の端部近傍に組み込まれていても構わない。
（３．３．第３の発明の実施の形態の動作）
次に本実施の形態に係る動作について図２３乃至図２５を用いて説明する。
【０２１７】
情報処理装置２３０４は、図２３に示すように、電子機器２３０１の操作部２３０３の端部近傍に組み込まれて設置されている。そして、図２４に示すように、情報処理装置２３０４はその操作部から引き出すことができるようになっている。この状態で、用紙を情報処理装置の貫通孔に略鉛直上方から挿入することにより、情報の入力または／および出力を行うことができるようになっている。また、用紙をガイドするためのガイド部材を取り付けることができるようにもなっている。
【０２１８】
また、図２５に示すように、情報処理装置２３０４を図２４の状態から略水平方向に回転させて使用することもできる。そうすることにより、電子機器の奥行きの空間を有効に活用することができる。また、この状態においても、用紙をガイドするためのガイド部材を取り付けることが可能となっている。
（３．４．第３の発明の実施の形態の変形例）
第３の発明の実施の形態について、図２６を用いて説明する。
図２６は、本発明の第３の発明の実施の形態の変形例に係る情報処理装置を具備した電子機器を示す斜視図である。
（３．４．１．第３の発明の実施の形態の変形例の概要）
本実施の形態は、情報処理装置を付加した電話機としての電子機器に関するものである。すなわち、かかる電子機器は電話回線との間で画像や文字などの情報の授受を行うことにより、ファクシミリ装置として構成することができる。
【０２１９】
かかる情報処理装置は、装置としてより一層の小型化及び軽量化を実現するとともに、情報処理時における振動や騒音を極力抑えることを目的としている。その情報処理装置の内部構成については、前記第１の実施の形態に示した通りであり、ここでは省略する。
【０２２０】
なお、ここで情報処理装置とは、用紙に対して情報の出力をなす情報出力装置と、用紙に表された情報の取り込みをなす情報入力装置のいずれか一方の概念で捉えることができ、さらに、両者を兼ね備えた情報入出力装置という概念で捉えることもできる。
（３．４．２．第３の発明の実施の形態の変形例の構成）
本実施の形態に係る構成について、図２６を用いて説明する。
【０２２１】
情報処理装置２６０１は、用紙送り手段、情報処理手段等から成っており、その詳細については、前記第１の実施の形態の構成で示した情報処理装置の通りであり、ここでは省略する。かかる情報処理装置２６０１は、接続部材２６０２を介して電話機２６０３と接続している。
【０２２２】
接続部材２６０２は、外枠にたとえばプラスチック部材などを用いて、情報処理装置２６０１を支持している。また内部にたとえばモジュラーケーブルなどを配設して、情報処理装置２６０１と電話機２６０３を電気的に接続するようになっている。
（３．４．３．第３の発明の実施の形態の変形例の動作）
次に本実施の形態に係る動作について図２６を用いて説明する。
【０２２３】
情報処理装置２６０１は、電話機２６０３と接続部材２６０２を介して電気的に接続しており、かかる電話機２６０３との間で画像や文字などの情報の授受を行うことができるようになっている。すなわち、かかる電話機が電話回線を介して受信した画像や文字などの情報を、対象となる用紙に対して出力できる。また、かかる情報処理装置２６０１が、対象となる用紙から取り込んだ情報を、該電話機２６０３に送ることにより、この情報を電話機２６０３から電話回線を介して送信することもできる。
【０２２４】
【発明の効果】
請求項１に係る情報処理装置では、ヘッド部を、用紙送り手段によって送り操作される用紙の湾曲部位に対応するよう湾曲させ、かつ該用紙送り手段による用紙の送り方向に対して略直交する方向に延設されることによって、回転駆動機構が不要となり、その結果、情報処理装置の小型化が図れるとともに、振動、騒音の低減を図ることができる。
【０２２５】
請求項２に係る情報処理装置では、ヘッド部に印刷ヘッド部を用いることにより、用紙に対して情報を印刷することができる。
【０２２６】
請求項３に係る情報処理装置では、ヘッド部に取込ヘッド部を用いることにより、用紙上に表記された情報を取り込むことができる。
【０２２７】
請求項４に係る情報処理装置では、ヘッド部に印刷ヘッド部と取込ヘッド部を併設することにより、用紙に対する情報の印刷や用紙上に表記された情報の取り込みのいずれか一方、あるいはその双方に適宜選択できるようになる。
【０２２８】
請求項５に係る情報処理装置では、ヘッド部が、他の部位から独立して着脱自在なユニット体から成っている。そして、その結果、必要に応じて別のユニット体に交換することが可能となる。
【０２２９】
請求項６に係るヘッド部は、情報処理装置に用いるものであり、かかるヘッド部を、用紙送り手段によって送り操作される用紙の湾曲部位に対応するよう湾曲させ、かつ該用紙送り手段による用紙の送り方向に対して略直交する方向に延設されることによって、回転駆動機構が不要となり、その結果、情報処理装置の小型化が図れるとともに、振動、騒音の低減を図ることができる。
【０２３０】
請求項７に係るヘッド部は、情報処理装置に用いるものであり、かかるヘッド部に印刷ヘッド部を用いることにより、用紙に対して情報を印刷することができる。
【０２３１】
請求項８に係るヘッド部は、情報処理装置に用いるものであり、かかるヘッド部に取込ヘッド部を用いることにより、用紙上に表記された情報を取り込むことができる。
【０２３２】
請求項９に係るヘッド部は、情報処理装置に用いるものであり、かかるヘッド部に印刷ヘッド部と取込ヘッド部を併設することにより、用紙に対する情報の印刷や用紙上に表記された情報の取り込みのいずれか一方、あるいはその双方に適宜選択できるようになる。
【０２３３】
請求項１０に係る電子機器は、情報処理装置を具備しており、かかる情報処理装置のヘッド部を、用紙送り手段によって送り操作される用紙の湾曲部位に対応するよう湾曲させ、かつ前記用紙送り手段による用紙の送り方向に対して略直交する方向に延設されることによって、回転駆動機構が不要となり、その結果、情報処理装置の小型化が図れるとともに、振動、騒音の低減を図ることができ、情報処理装置を動作させつつ、表示部位を見ながらの電子機器の操作が容易になる。
【０２３４】
請求項１１に係る電子機器は、情報処理装置を具備しており、かかる情報処理装置のヘッド部に印刷ヘッド部を用いることにより、用紙に対して情報を印刷することができる。
【０２３５】
請求項１２に係る電子機器は、情報処理装置を具備しており、かかる情報処理装置のヘッド部に取込ヘッド部を用いることにより、用紙上に表記された情報を取り込むことができ、情報処理装置を動作させつつ、表示部位を見ながらの電子機器の操作が容易になる。
【０２３６】
請求項１３に係る電子機器は、情報処理装置を具備しており、かかる情報処理装置のヘッド部に印刷ヘッド部と取込ヘッド部を併設することにより、用紙に対する情報の印刷や用紙上に表記された情報の取り込みのいずれか一方、あるいはその双方に適宜選択できるようになる。
【０２３７】
請求項１４に係る電子機器は、情報処理装置を具備しており、かかる情報処理装置のヘッド部が、他の部位から独立して着脱自在なユニット体からなり、必要に応じて別のユニット体に交換することが可能となる。
【図面の簡単な説明】
【図１】本発明の第１の発明の実施の形態に係る情報処理装置を示す斜視図
【図２】本発明の第１の発明の実施の形態に係る情報処理装置を示す斜視図
【図３】本発明の第１の実施の形態に係る情報処理装置の使用状態を示す斜視図
【図４】本発明の第１の実施の形態に係る情報処理装置の使用状態を示す斜視図
【図５】本発明の第１の実施の形態に係る情報処理装置の内部構造を模式的に示す縦断正面図
【図６】本発明の第１の発明の実施の形態の第１の具体例に係るプリンター装置を模式的に示す縦断正面図
【図７】本発明の第１の発明の実施の形態の第２の具体例に係るスキャナ装置を模式的に示す縦断正面図
【図８】本発明の第１の発明の実施の形態の第３の具体例に係るプリンタ・スキャナ併設装置を模式的に示す縦断正面図
【図９】本発明の第１の発明の実施の形態の第１の具体例に係るプリンター装置の内部構造を示す断面図
【図１０】本発明の第１の発明の実施の形態の第１の具体例に係るプリンター装置の内部構造を示す断面図
【図１１】本発明の第２の発明の実施の形態に係る情報処理装置を示す構成図
【図１２】本発明の第２の実施の形態に係る情報処理装置の使用状態を示す構成図
【図１３】本発明の第２の実施の形態に係る情報処理装置の使用状態を示す構成図
【図１４】ラインに沿って点在するノズルを有する印刷ヘッド部の外観図
【図１５】図１４の内部構成図
【図１６】図１４の内部構成の断面図
【図１７】千鳥状のノズルを有する印刷ヘッド部の外観図
【図１８】図１７の内部構成図
【図１９】図１７の内部構成の断面図
【図２０】取込ヘッド部の外観を示した図
【図２１】図２０の内部構成の断面図
【図２２】印刷ヘッド部と取込ヘッド部とを併設したヘッド部の外観を示した図
【図２３】本発明の第３の発明の実施の形態に係る情報処理装置を具備した電子機器を示す斜視図
【図２４】本発明の第３の実施の形態に係る情報処理装置を具備した電子機器の使用状態を示す斜視図
【図２５】本発明の第３の実施の形態に係る情報処理装置を具備した電子機器の使用状態を示す斜視図
【図２６】本発明の第３の発明の実施の形態の変形例に係る情報処理装置を具備した電子機器を示す斜視図
【符号の説明】
５１１　ヘッド部
５１２　情報処理手段
【図１】
2004122571.tif 000003
【図２】
2004122571.tif 000004
【図３】
2004122571.tif 000005
【図４】
2004122571.tif 000006
【図５】
2004122571.tif 000007
【図６】
2004122571.tif 000008
【図７】
2004122571.tif 000009
【図８】
2004122571.tif 000010
【図９】
2004122571.tif 000011
【図１０】
2004122571.tif 000012
【図１１】
2004122571.tif 000013
【図１２】
2004122571.tif 000014
【図１３】
2004122571.tif 000015
【図１４】
2004122571.tif 000016
【図１５】
2004122571.tif 000017
【図１６】
2004122571.tif 000018
【図１７】
2004122571.tif 000019
【図１８】
2004122571.tif 000020
【図１９】
2004122571.tif 000021
【図２０】
2004122571.tif 000022
【図２１】
2004122571.tif 000023
【図２２】
2004122571.tif 000024
【図２３】
2004122571.tif 000025
【図２４】
2004122571.tif 000026
【図２５】
2004122571.tif 000027
【図２６】
2004122571.tif 000028